(57)【要約】【課題】被保管物を取り出す際の手間を減らすことが可能な重要物管理装置を提供する。【解決手段】被保管物の保管を行う施錠可能な区画３１を複数有する重要物管理装置であって、区画３１を解錠する際に利用目的が入力される入力手段７１を備える。これにより、利用目的をノート等の紙に手書きで記載したり、管理用の別のＰＣに手入力したりする場合と比べて、入力が容易となる。従って、区画を解錠して被保管物を取り出す際の手間を減らすことが可能となる。【選択図】図１
2020090889.tif 000002
【特許請求の範囲】
【請求項１】
被保管物の保管を行う施錠可能な区画を複数有する重要物管理装置であって、
区画を解錠する際に利用目的が入力される入力手段を備えることを特徴とする重要物管理装置。
【請求項２】
複数の区画の中から利用する区画が選択入力される選択手段を備え、
前記入力手段には、前記選択手段で選択された区画に対する利用目的が入力されることを特徴とする請求項１記載の重要物管理装置。
【請求項３】
前記選択手段には、複数の区画の中から利用する区画が複数選択入力可能であり、
前記入力手段には、前記選択手段で選択された複数の区画に対する共通の利用目的が入力されることを特徴とする請求項２記載の重要物管理装置。
【請求項４】
前記選択手段には、複数の区画の中から利用する区画が複数選択入力可能であり、
前記入力手段には、前記選択手段で選択された複数の区画のそれぞれに対する利用目的が入力されることを特徴とする請求項２記載の重要物管理装置。
【請求項５】
被保管物としての鍵を保管する鍵管理ユニットを一体に有する区画を備えることを特徴とする請求項１から４の何れか一項記載の重要物管理装置。
【請求項６】
前記入力手段は、前記鍵管理ユニットを一体に有する区画が解錠されるとき及び前記鍵管理ユニットから鍵が取り出されるときの少なくとも何れか一方において利用目的が入力されることを特徴とする請求項５記載の重要物管理装置。
【請求項７】
鍵毎に、利用目的を入力するか否かを設定可能であることを特徴とする請求項５又は６記載の重要物管理装置。
【請求項８】
区画毎に、利用目的を入力するか否かを設定可能であることを特徴とする請求項１から７の何れか一項記載の重要物管理装置。
【請求項９】
区画毎に、閉状態となった際に自動的に施錠されるのか施錠されずに解錠状態が維持されるのかを設定可能であることを特徴とする請求項１から８の何れか一項記載の重要物管理装置。
【発明の詳細な説明】
【技術分野】
【０００１】
本発明は、重要物を管理する重要物管理装置に関する。
【背景技術】
【０００２】
従来から、金融機関等には、貨幣、小切手、金券、書類ファイル、通帳等の重要物を被保管物として保管する区画を備え、どの利用者がどの区画をいつ利用したのか等の利用履歴を管理可能な重要物管理装置がある（特許文献１参照）。
【先行技術文献】
【特許文献】
【０００３】
【特許文献１】特開２０１３−０９７６１２号公報
【発明の概要】
【発明が解決しようとする課題】
【０００４】
利用者の中には、事務規定等により、利用履歴に加え、区画を解錠して被保管物を取り出す際に何のために利用するのか等の利用目的を管理することになっている。このような利用者は、現状では利用目的を、ノート等の紙に手書きで記載したりＰＣのファイルに手入力したりして、利用履歴とは別に、利用目的を管理している。従って、重要物管理装置の操作とは別に、利用目的を入力する作業が必要となり、手間が掛かる。
【０００５】
従って、本発明は、被保管物を取り出す際の手間を減らすことが可能な重要物管理装置の提供を目的とする。
【課題を解決するための手段】
【０００６】
上記目的を達成するために、本発明の第１の態様は、被保管物の保管を行う施錠可能な区画を複数有する重要物管理装置であって、区画を解錠する際に利用目的が入力される入力手段を備えることを特徴とする。
【０００７】
上記第１の態様によれば、区画を解錠する際に利用目的が入力される入力手段を備えるため、区画を解錠して被保管物を取り出す際の手間を減らすことが可能となる。
【０００８】
本発明の第２の態様は、上記第１の態様において、複数の区画の中から利用する区画が選択入力される選択手段を備え、前記入力手段には、前記選択手段で選択された区画に対する利用目的が入力されることを特徴とする。
【０００９】
上記第２の態様によれば、選択手段に、複数の区画の中から利用する区画が選択入力されると、入力手段には、選択された区画に対する利用目的が入力されるため、区画を選択し解錠して被保管物を取り出す際の手間を減らすことが可能となる。
【００１０】
本発明の第３の態様は、上記第２の態様において、前記選択手段には、複数の区画の中から利用する区画が複数選択入力可能であり、前記入力手段には、前記選択手段で選択された複数の区画に対する共通の利用目的が入力されることを特徴とする。
【００１１】
上記第３の態様によれば、選択手段に、複数の区画の中から利用する区画が複数選択入力されると、入力手段には、選択された複数の区画に対する共通の利用目的が入力されるため、複数の区画を選択し解錠して被保管物を取り出す際の手間を減らすことが可能となる。
【００１２】
本発明の第４の態様は、上記第２の態様において、前記選択手段には、複数の区画の中から利用する区画が複数選択入力可能であり、前記入力手段には、前記選択手段で選択された複数の区画のそれぞれに対する利用目的が入力されることを特徴とする。
【００１３】
上記第４の態様によれば、選択手段に、複数の区画の中から利用する区画が複数選択入力されると、入力手段には、選択された複数の区画のそれぞれに対する利用目的が入力されるため、複数の区画を選択し解錠して被保管物を取り出す際の手間を減らすことが可能となる。
【００１４】
本発明の第５の態様は、上記第１から第４の何れか一態様において、被保管物としての鍵を保管する鍵管理ユニットを一体に有する区画を備えることを特徴とする。
【００１５】
上記第５の態様によれば、被保管物としての鍵を保管する鍵管理ユニットを一体に有する区画を備えるため、鍵を取り出す際の手間を減らすことが可能となる。
【００１６】
本発明の第６の態様は、上記第５の態様において、前記入力手段は、前記鍵管理ユニットを一体に有する区画が解錠されるとき及び前記鍵管理ユニットから鍵が取り出されるときの少なくとも何れか一方において利用目的が入力されることを特徴とする。
【００１７】
上記第６の態様によれば、入力手段は、鍵管理ユニットを一体に有する区画が解錠されるとき及び鍵管理ユニットから鍵が取り出されるときの少なくとも何れか一方において利用目的が入力されるため、鍵管理ユニットを一体に有する区画を解錠するとき及び鍵管理ユニットから鍵を取り出すときの少なくとも何れか一方において、鍵を取り出す際の手間を減らすことが可能となる。
【００１８】
本発明の第７の態様は、上記第５又は第６の態様において、鍵毎に、利用目的を入力するか否かを設定可能であることを特徴とする。
【００１９】
上記第７の態様によれば、鍵毎に、利用目的を入力するか否かを設定可能であるため、利用目的を入力する必要がない鍵に対して利用目的の入力を省くことができ、鍵を取り出す際の手間を減らすことが可能となる。
【００２０】
本発明の第８の態様は、上記第１から第７の何れか一態様において、区画毎に、利用目的を入力するか否かを設定可能であることを特徴とする。
【００２１】
上記第８の態様によれば、区画毎に、利用目的を入力するか否かを設定可能であるため、利用目的を入力する必要がない区画に対して利用目的の入力を省くことができ、被保管物を取り出す際の手間を減らすことが可能となる。
【００２２】
本発明の第９の態様は、上記第１から第８の何れか一態様において、区画毎に、閉状態となった際に自動的に施錠されるのか施錠されずに解錠状態が維持されるのかを設定可能であることを特徴とする。
【００２３】
上記第９の態様によれば、区画毎に、閉状態となった際に自動的に施錠されるのか施錠されずに解錠状態が維持されるのかを設定可能であるため、被保管物を返却する際の手間を減らすことが可能となる。
【発明の効果】
【００２４】
本発明によれば、被保管物を取り出す際の手間を減らすことが可能な重要物管理装置を提供することができる。
【図面の簡単な説明】
【００２５】
【図１】本発明に係る第１実施形態の重要物管理装置を示す斜視図である。
【図２】本発明に係る第１実施形態の重要物管理装置を示すブロック図である。
【図３】本発明に係る第１実施形態の重要物管理装置の鍵管理ユニットを示す正面図である。
【図４】本発明に係る第１実施形態の重要物管理装置の鍵管理ユニットの要部及び鍵を示す斜視図である。
【図５】本発明に係る第１実施形態の重要物管理装置の表示操作部の表示例を示す正面図である。
【図６】本発明に係る第１実施形態の重要物管理装置の表示操作部の表示例を示す正面図である。
【図７】本発明に係る第１実施形態の重要物管理装置の表示操作部の表示例を示す正面図である。
【図８】本発明に係る第１実施形態の重要物管理装置の表示操作部の表示例を示す正面図である。
【図９】本発明に係る第１実施形態の重要物管理装置の表示操作部の表示例を示す正面図である。
【図１０】本発明に係る第１実施形態の重要物管理装置の表示操作部の表示例を示す正面図である。
【図１１】本発明に係る第１実施形態の重要物管理装置の表示操作部の表示例を示す正面図である。
【図１２】本発明に係る第１実施形態の重要物管理装置の表示操作部の表示例を示す正面図である。
【図１３】本発明に係る第１実施形態の重要物管理装置の表示操作部の表示例を示す正面図である。
【図１４】本発明に係る第１実施形態の重要物管理装置の表示操作部の表示例を示す正面図である。
【図１５】本発明に係る第１実施形態の重要物管理装置の表示操作部の表示例を示す正面図である。
【図１６】本発明に係る第１実施形態の重要物管理装置の表示操作部の表示例を示す正面図である。
【図１７】本発明に係る第１実施形態の重要物管理装置の表示操作部の表示例を示す正面図である。
【図１８】本発明に係る第１実施形態の重要物管理装置の表示操作部の表示例を示す正面図である。
【図１９】本発明に係る第１実施形態の重要物管理装置の表示操作部の表示例を示す正面図である。
【図２０】本発明に係る第１実施形態の重要物管理装置の表示操作部の表示例を示す正面図である。
【図２１】本発明に係る第１実施形態の重要物管理装置の表示操作部の表示例を示す正面図である。
【図２２】本発明に係る第１実施形態の重要物管理装置の表示操作部の表示例を示す正面図である。
【図２３】本発明に係る第１実施形態の重要物管理装置の表示操作部の表示例を示す正面図である。
【図２４】本発明に係る第１実施形態の重要物管理装置の表示操作部の表示例を示す正面図である。
【図２５】本発明に係る第１実施形態の重要物管理装置の表示操作部の表示例を示す正面図である。
【図２６】本発明に係る第１実施形態の重要物管理装置の表示操作部の表示例を示す正面図である。
【図２７】本発明に係る第１実施形態の重要物管理装置の表示操作部の表示例を示す正面図である。
【図２８】本発明に係る第１実施形態の重要物管理装置の表示操作部の表示例を示す正面図である。
【図２９】本発明に係る第１実施形態の重要物管理装置の表示操作部の表示例を示す正面図である。
【図３０】本発明に係る第１実施形態の重要物管理装置の表示操作部の表示例を示す正面図である。
【図３１】本発明に係る第１実施形態の重要物管理装置の表示操作部の表示例を示す正面図である。
【発明を実施するための形態】
【００２６】
［第１実施形態］
本発明に係る第１実施形態の重要物管理装置について説明する。
【００２７】
＜１．構成＞
先ず、第１実施形態の重要物管理装置１１の構成について説明する。
第１実施形態の重要物管理装置１１は、図１に示すように、複数の収納ユニット１２〜１９と一つの操作ユニット２１とが一体的に組み合わせられて一台の装置を構成している。ここで、以下の説明において使用する「前」は重要物管理装置１１の利用者側、「後」は重要物管理装置１１の利用者とは反対側、「左」は重要物管理装置１１の利用者から見た左、「右」は重要物管理装置１１の利用者から見た右である。重要物管理装置１１は、例えば金融機関の店舗に設置されて重要物を保管及び管理を行う。重要物管理装置１１は、設置される店舗の形態や顧客の要望に応じた収納ユニットを操作ユニット２１に適宜組み合わせて一つの装置として構成される。重要物管理装置１１は、店舗の金庫室に設置することも可能であるが、店舗の営業室に設置することも可能である。
【００２８】
重要物管理装置１１は、左端の上段に設けられる第１の上段収納ユニット１２と、第１の上段収納ユニット１２の下側となる左端の下段に設けられる第１の下段収納ユニット１３と、左端から２番目の上段に設けられる第２の上段収納ユニット１４と、第２の上段収納ユニット１４の下側となる左端から２番目の下段に設けられる第２の下段収納ユニット１５とを有している。また、重要物管理装置１１は、左端から３番目の上段に設けられる第３の上段収納ユニット１６と、第３の上段収納ユニット１６の下側となる左端から３番目の中段に設けられる操作ユニット２１と、操作ユニット２１の下側となる左端から３番目の下段に設けられる第３の下段収納ユニット１７と、右端の上段に設けられる第４の上段収納ユニット１８と、第４の上段収納ユニット１８の下側となる右端の下段に設けられる第４の下段収納ユニット１９とを有している。
【００２９】
第１の上段収納ユニット１２は、被保管物を保管する第１の区画３１（Ａ）を有している。第１の区画３１（Ａ）は、閉状態でその前面の左側を構成する窓付の扉３２（Ａ）と、閉状態でその前面の右側を構成する窓なしの扉３３（Ａ）とを有している。左側の扉３２（Ａ）は、閉状態での左端縁部が鉛直軸回りに回転可能となっており、閉状態での右端縁部が左前方に移動するように開く。右側の扉３３（Ａ）は、閉状態での右端縁部が鉛直軸回りに回転可能となっており、閉状態での左端縁部が右前方に移動するように開く。即ち、扉３２（Ａ），３３（Ａ）は、手前側に揺動して開く両開き扉である。
【００３０】
第１の区画３１（Ａ）には、被保管物として、例えば、モニタ、ＨＤＤ、プリンタ等の事務機器が収納されている。第１の区画３１（Ａ）は、扉３２（Ａ），３３（Ａ）が開かれると、モニタが視認可能となると共にプリンタで印字された用紙が取り出し可能となり、扉３２（Ａ），３３（Ａ）が閉じられると、これらが不可となる。第１の区画３１（Ａ）は、扉３２（Ａ），３３（Ａ）が開かれた状態が開状態であり、扉３２（Ａ），３３（Ａ）が閉じられた状態が閉状態である。第１の区画３１（Ａ）は、第１の区画３１（Ａ）が開状態にあるか閉状態にあるかを検知する、図２に示す第１の開閉検知センサ３５（Ａ）と、第１の区画３１（Ａ）を閉状態でロックする第１のロック機構３６（Ａ）とを有している。
【００３１】
第１の区画３１（Ａ）は、扉３２（Ａ），３３（Ａ）が閉じられて第１のロック機構３６（Ａ）でロックされた状態が施錠状態であり、この施錠状態では、扉３２（Ａ），３３（Ａ）の開作動が規制される。第１の区画３１（Ａ）は、第１のロック機構３６（Ａ）によって扉３２（Ａ），３３（Ａ）の閉状態でのロックを解除した状態が、解錠状態であり、この解錠状態では、扉３２（Ａ），３３（Ａ）は開作動可能となる。第１のロック機構３６（Ａ）は、制御部４１に制御されて第１の区画３１（Ａ）の施錠状態及び解錠状態を切り替える。
【００３２】
第１の下段収納ユニット１３は、被保管物を保管する第２の区画３１（Ｂ）を有している。第２の区画３１（Ｂ）は、第１の区画３１（Ａ）と同様の構造であり、閉状態でその前面を構成する左右の扉３２（Ｂ），３３（Ｂ）と、扉３２（Ｂ），３３（Ｂ）が開状態にあるか閉状態にあるか、即ち第２の区画３１（Ｂ）が開状態にあるか閉状態にあるかを検知する第２の開閉検知センサ３５（Ｂ）と、扉３２（Ｂ），３３（Ｂ）、即ち第２の区画３１（Ｂ）を閉状態でロックする第２のロック機構３６（Ｂ）とを有している。
【００３３】
第２の区画３１（Ｂ）には、被保管物として、例えば、通帳、小切手等が分類されて保管されることになる。そのため、第２の区画３１（Ｂ）内には、通帳、小切手等を区分けして収納するための引き出し式のケースが複数設けられている。第２の区画３１（Ｂ）は、扉３２（Ｂ），３３（Ｂ）が閉じられて第２のロック機構３６（Ｂ）でロックされた状態が施錠状態であり、この施錠状態では、扉３２（Ｂ），３３（Ｂ）の開作動が規制される。第２の区画３１（Ｂ）は、第２のロック機構３６（Ｂ）により扉３２（Ｂ），３３（Ｂ）の閉状態でのロックを解除した状態が、解錠状態であり、この解錠状態では、扉３２（Ｂ），３３（Ｂ）は開作動可能となる。第２のロック機構３６（Ｂ）は、制御部４１に制御されて第２の区画３１（Ｂ）の施錠状態及び解錠状態を切り替える。
【００３４】
第２の上段収納ユニット１４は、被保管物を保管する第３の区画３１（Ｃ）を有している。第３の区画３１（Ｃ）は、第２の区画３１（Ｂ）よりも小型である。第３の区画３１（Ｃ）は、第１の区画３１（Ａ）と同様の構造であり、閉状態でその前面を構成する左右の扉３２（Ｃ），３３（Ｃ）と、扉３２（Ｃ），３３（Ｃ）が開状態にあるか閉状態にあるか、即ち第３の区画３１（Ｃ）が開状態にあるか閉状態にあるかを検知する第３の開閉検知センサ３５（Ｃ）と、扉３２（Ｃ），３３（Ｃ）、即ち第３の区画３１（Ｃ）を閉状態でロックする第３のロック機構３６（Ｃ）とを有している。
【００３５】
第３の区画３１（Ｃ）には、被保管物として、例えば、書類等が保管されることになる。第３の区画３１（Ｃ）は、扉３２（Ｃ），３３（Ｃ）が閉じられて第３のロック機構３６（Ｃ）でロックされた状態が施錠状態であり、この施錠状態では、扉３２（Ｃ），３３（Ｃ）の開作動が規制される。第３の区画３１（Ｃ）は、第３のロック機構３６（Ｃ）により扉３２（Ｃ），３３（Ｃ）の閉状態でのロックを解除した状態が、解錠状態であり、この解錠状態では、扉３２（Ｃ），３３（Ｃ）は開作動可能となる。第３のロック機構３６（Ｃ）は、制御部４１に制御されて第３の区画３１（Ｃ）の施錠状態及び解錠状態を切り替える。
【００３６】
第２の上段収納ユニット１４は、第３の区画３１（Ｃ）の下側に、被保管物をそれぞれ保管する左側の第４の区画３１（Ｄ）と右側の第５の区画３１（Ｅ）とを有している。第４の区画３１（Ｄ）は、第３の区画３１（Ｃ）の半分の幅であり、閉状態でその前面を構成する扉３２（Ｄ）を有している。扉３２（Ｄ）は、閉状態での右端縁部が鉛直軸回りに回転可能となっており、閉状態での左端縁部が右前方に移動するように開く。即ち、扉３２（Ｄ）は、手前側に揺動して開く片開き扉である。この扉３２（Ｄ）で前面側が開閉される第４の区画３１（Ｄ）には、図３に示すように、鍵管理ユニット６１（Ｄ）が固定されており、鍵管理ユニット６１（Ｄ）は、図４に示すように、被保管物としての鍵５１を保管する。言い換えれば、第４の区画３１（Ｄ）は、被保管物としての鍵５１を保管する鍵管理ユニット６１（Ｄ）を一体に内蔵している。
【００３７】
第４の区画３１（Ｄ）は、扉３２（Ｄ）が開かれて開状態になると、鍵管理ユニット６１（Ｄ）が露出して鍵５１の取り外し及び取り付けが可能となり、扉３２（Ｄ）が閉じられて閉状態になると、鍵管理ユニット６１（Ｄ）が覆われて鍵５１の取り外し及び取り付けが不可となる。第４の区画３１（Ｄ）は、扉３２（Ｄ）が開かれた状態が開状態であり、扉３２（Ｄ）が閉じられた状態が閉状態である。第４の区画３１（Ｄ）は、第４の区画３１（Ｄ）が開状態にあるか閉状態にあるかを検知する第４の開閉検知センサ３５（Ｄ）と、第４の区画３１（Ｄ）を閉状態でロックする第４のロック機構３６（Ｄ）とを有している。
【００３８】
第４の区画３１（Ｄ）は、扉３２（Ｄ）が閉じられて第４のロック機構３６（Ｄ）でロックされた状態が施錠状態であり、この施錠状態では、扉３２（Ｄ）の開作動が規制される。第４の区画３１（Ｄ）は、第４のロック機構３６（Ｄ）により扉３２（Ｄ）の閉状態でのロックを解除した状態が、解錠状態であり、この解錠状態では、扉３２（Ｄ）は開作動可能となる。第４のロック機構３６（Ｄ）は、制御部４１に制御されて第４の区画３１（Ｄ）の施錠状態及び解錠状態を切り替える。
【００３９】
第５の区画３１（Ｅ）も、第３の区画３１（Ｃ）の半分の幅であり、第４の区画３１（Ｄ）と同様の構造である。第５の区画３１（Ｅ）も、閉状態でその前面を構成する扉３２（Ｅ）と、扉３２（Ｅ）が開状態にあるか閉状態にあるか、即ち第５の区画３１（Ｅ）が開状態にあるか閉状態にあるかを検知する第５の開閉検知センサ３５（Ｅ）と、扉３２（Ｅ）、即ち第５の区画３１（Ｅ）を閉状態でロックする第５のロック機構３６（Ｅ）とを有している。
【００４０】
第５の区画３１（Ｅ）には、被保管物としての鍵５１を保管する鍵管理ユニット６１（Ｅ）が固定されている。言い換えれば、第５の区画３１（Ｅ）は、被保管物としての鍵５１を保管する鍵管理ユニット６１（Ｅ）を一体に内蔵している。第５の区画３１（Ｅ）は、扉３２（Ｅ）が閉じられて第５のロック機構３６（Ｅ）でロックされた状態が施錠状態であり、この施錠状態では、扉３２（Ｅ）の開作動が規制される。第５の区画３１（Ｅ）は、第５のロック機構３６（Ｅ）により扉３２（Ｅ）の閉状態でのロックを解除した状態が、解錠状態であり、この解錠状態では、扉３２（Ｅ）は開作動可能となる。第５のロック機構３６（Ｅ）は、制御部４１に制御されて第５の区画３１（Ｅ）の施錠状態及び解錠状態を切り替える。
【００４１】
第２の下段収納ユニット１５は、被保管物を保管する第６の区画３１（Ｆ）を有している。第６の区画３１（Ｆ）は、第１の区画３１（Ａ）と同様の構造であり、閉状態でその前面を構成する左右の扉３２（Ｆ），３３（Ｆ）と、扉３２（Ｆ），３３（Ｆ）が開状態にあるか閉状態にあるか、即ち第６の区画３１（Ｆ）が開状態にあるか閉状態にあるかを検知する第６の開閉検知センサ３５（Ｆ）と、扉３２（Ｆ），３３（Ｆ）、即ち第６の区画３１（Ｆ）を閉状態でロックする第６のロック機構３６（Ｆ）とを有している。
【００４２】
第６の区画３１（Ｆ）は、耐火金庫であり、被保管物として、例えば、書類、現金入りの麻袋等が保管されることになる。第６の区画３１（Ｆ）は、扉３２（Ｆ），３３（Ｆ）が閉じられて第６のロック機構３６（Ｆ）でロックされた状態が施錠状態であり、この施錠状態では、扉３２（Ｆ），３３（Ｆ）の開作動が規制される。第６の区画３１（Ｆ）は、第６のロック機構３６（Ｆ）により扉３２（Ｆ），３３（Ｆ）の閉状態でのロックを解除した状態が、解錠状態であり、この解錠状態では、扉３２（Ｆ），３３（Ｆ）は開作動可能となる。第６のロック機構３６（Ｆ）は、制御部４１に制御されて第６の区画３１（Ｆ）の施錠状態及び解錠状態を切り替える。
【００４３】
第３の上段収納ユニット１６は、被保管物を保管する第７の区画３１（Ｇ）を有している。第７の区画３１（Ｇ）は、第２の区画３１（Ｂ）よりも小型であって、第３の区画３１（Ｃ）よりも大型である。第７の区画３１（Ｇ）は、第１の区画３１（Ａ）と同様の構造であり、閉状態でその前面を構成する左右の扉３２（Ｇ），３３（Ｇ）と、扉３２（Ｇ），３３（Ｇ）が開状態にあるか閉状態にあるか、即ち第７の区画３１（Ｇ）が開状態にあるか閉状態にあるかを検知する第７の開閉検知センサ３５（Ｇ）と、扉３２（Ｇ），３３（Ｇ）、即ち第７の区画３１（Ｇ）を閉状態でロックする第７のロック機構３６（Ｇ）とを有している。
【００４４】
第７の区画３１（Ｇ）には、被保管物として、例えば、書類等が保管されることになる。第７の区画３１（Ｇ）は、扉３２（Ｇ），３３（Ｇ）が閉じられて第７のロック機構３６（Ｇ）でロックされた状態が施錠状態であり、この施錠状態では、扉３２（Ｇ），３３（Ｇ）の開作動が規制される。第７の区画３１（Ｇ）は、第７のロック機構３６（Ｇ）により扉３２（Ｇ），３３（Ｇ）の閉状態でのロックを解除した状態が、解錠状態であり、この解錠状態では、扉３２（Ｇ），３３（Ｇ）は開作動可能となる。第７のロック機構３６（Ｇ）は、制御部４１に制御されて第７の区画３１（Ｇ）の施錠状態及び解錠状態を切り替える。
【００４５】
第３の下段収納ユニット１７は、いずれも被保管物を保管する第８の区画３１（Ｈ）、第９の区画３１（Ｉ）及び第１０の区画３１（Ｊ）を上から順に有している。第３の下段収納ユニット１７は、上下３段の耐火ラテラルである。
【００４６】
上段の第８の区画３１（Ｈ）は、前方に引き出されて開状態となり、後方に押し込まれて閉状態となる引き出し式のスライド部３２（Ｈ）を有している。第８の区画３１（Ｈ）のスライド部３２（Ｈ）には、被保管物として、例えば、書類等が保管されることになる。
【００４７】
第８の区画３１（Ｈ）は、スライド部３２（Ｈ）が引き出されて開状態になると、被保管物の出し入れが可能となり、スライド部３２（Ｈ）が押し込まれて閉状態になると、被保管物の出し入れが不可となる。第８の区画３１（Ｈ）は、スライド部３２（Ｈ）が引き出された状態が開状態であり、スライド部３２（Ｈ）が押し込まれた状態が閉状態である。第８の区画３１（Ｈ）には、第８の区画３１（Ｈ）が開状態にあるか閉状態にあるかを検知する第８の開閉検知センサ３５（Ｈ）と、第８の区画３１（Ｈ）を閉状態でロックする第８のロック機構３６（Ｈ）とが設けられている。
【００４８】
第８の区画３１（Ｈ）は、スライド部３２（Ｈ）が押し込まれて第８のロック機構３６（Ｈ）でロックされた状態が施錠状態であり、この施錠状態では、スライド部３２（Ｈ）の開作動が規制される。第８の区画３１（Ｈ）は、第８のロック機構３６（Ｈ）によりスライド部３２（Ｈ）のロックを解除した状態が、解錠状態であり、この解錠状態では、スライド部３２（Ｈ）は引き出されて開可能となる。第８のロック機構３６（Ｈ）は、制御部４１に制御されて第８の区画３１（Ｈ）の施錠状態及び解錠状態を切り替える。
【００４９】
中段の第９の区画３１（Ｉ）は、第８の区画３１（Ｈ）と同様の構造であり、引き出し式のスライド部３２（Ｉ）と、スライド部３２（Ｉ）が開状態にあるか閉状態にあるか、即ち第９の区画３１（Ｉ）が開状態にあるか閉状態にあるかを検知する第９の開閉検知センサ３５（Ｉ）と、スライド部３２（Ｉ）、即ち第９の区画３１（Ｉ）を閉状態でロックする第９のロック機構３６（Ｉ）とを有している。第９の区画３１（Ｉ）のスライド部３２（Ｉ）には、被保管物として、例えば、書類等が保管されることになる。
【００５０】
第９の区画３１（Ｉ）は、スライド部３２（Ｉ）が押し込まれて第９のロック機構３６（Ｉ）でロックされた状態が施錠状態であり、この施錠状態では、スライド部３２（Ｉ）の開作動が規制される。第９の区画３１（Ｉ）は、第９のロック機構３６（Ｉ）によりスライド部３２（Ｉ）のロックを解除した状態が、解錠状態であり、この解錠状態では、スライド部３２（Ｉ）は引き出されて開可能となる。第９のロック機構３６（Ｉ）は、制御部４１に制御されて第９の区画３１（Ｉ）の施錠状態及び解錠状態を切り替える。
【００５１】
下段の第１０の区画３１（Ｊ）は、第８の区画３１（Ｈ）と同様の構造であり、引き出し式のスライド部３２（Ｊ）と、スライド部３２（Ｊ）が開状態にあるか閉状態にあるか、即ち第１０の区画３１（Ｊ）が開状態にあるか閉状態にあるかを検知する第１０の開閉検知センサ３５（Ｊ）と、スライド部３２（Ｊ）、即ち第１０の区画３１（Ｊ）を閉状態でロックする第１０のロック機構３６（Ｊ）とを有している。第１０の区画３１（Ｊ）のスライド部３２（Ｊ）には、被保管物として、例えば、書類等が保管されることになる。
【００５２】
第１０の区画３１（Ｊ）は、スライド部３２（Ｊ）が押し込まれて第１０のロック機構３６（Ｊ）でロックされた状態が施錠状態であり、この施錠状態では、スライド部３２（Ｊ）の開作動が規制される。第１０の区画３１（Ｊ）は、第１０のロック機構３６（Ｊ）によりスライド部３２（Ｊ）のロックを解除した状態が、解錠状態であり、この解錠状態では、スライド部３２（Ｊ）は引き出されて開可能となる。第１０のロック機構３６（Ｊ）は、制御部４１に制御されて第１０の区画３１（Ｊ）の施錠状態及び解錠状態を切り替える。
【００５３】
第４の上段収納ユニット１８は、被保管物を保管する第１１の区画３１（Ｋ）を有している。第１１の区画３１（Ｋ）は、第３の区画３１（Ｃ）よりも小型であって、第１の区画３１（Ａ）と同様の構造であり、閉状態でその前面を構成する左右の扉３２（Ｋ），３３（Ｋ）と、扉３２（Ｋ），３３（Ｋ）が開状態にあるか閉状態にあるか、即ち第１１の区画３１（Ｋ）が開状態にあるか閉状態にあるかを検知する第１１の開閉検知センサ３５（Ｋ）と、扉３２（Ｋ），３３（Ｋ）、即ち第１１の区画３１（Ｋ）を閉状態でロックする第１１のロック機構３６（Ｋ）とが設けられている。
【００５４】
第１１の区画３１（Ｋ）には、被保管物として、例えば、書類等が保管されることになる。第１１の区画３１（Ｋ）は、扉３２（Ｋ），３３（Ｋ）が閉じられて第１１のロック機構３６（Ｋ）でロックされた状態が施錠状態であり、この施錠状態では、扉３２（Ｋ），３３（Ｋ）の開作動が規制される。第１１の区画３１（Ｋ）は、第１１のロック機構３６（Ｋ）により扉３２（Ｋ），３３（Ｋ）の閉状態でのロックを解除した状態が、解錠状態であり、この解錠状態では、扉３２（Ｋ），３３（Ｋ）は開作動可能となる。第１１のロック機構３６（Ｋ）は、制御部４１に制御されて第１１の区画３１（Ｋ）の施錠状態及び解錠状態を切り替える。
【００５５】
第４の上段収納ユニット１８は、第１１の区画３１（Ｋ）の下側に、いずれも被保管物を保管する左側の上下３段の第１２の区画３１（Ｌ）、第１３の区画３１（Ｍ）及び第１４の区画３１（Ｎ）と、右側の上下３段の第１５の区画３１（Ｏ）、第１６の区画３１（Ｐ）及び第１７の区画３１（Ｑ）とを有している。第１２の区画３１（Ｌ）、第１３の区画３１（Ｍ）、第１４の区画３１（Ｎ）、第１５の区画３１（Ｏ）、第１６の区画３１（Ｐ）及び第１７の区画３１（Ｑ）は、いずれも第１１の区画３１（Ｋ）の半分の幅であり、何れも第４の区画３１（Ｄ）と同様の構造である。
【００５６】
第１２の区画３１（Ｌ）は、閉状態でその前面を構成する扉３２（Ｌ）と、扉３２（Ｌ）が開状態にあるか閉状態にあるか、即ち第１２の区画３１（Ｌ）が開状態にあるか閉状態にあるかを検知する第１２の開閉検知センサ３５（Ｌ）と、扉３２（Ｌ）、即ち第１２の区画３１（Ｌ）を閉状態でロックする第１２のロック機構３６（Ｌ）とを有している。
【００５７】
第１２の区画３１（Ｌ）には、被保管物として、例えば、書類等が保管されることになる。第１２の区画３１（Ｌ）は、扉３２（Ｌ）が閉じられて第１２のロック機構３６（Ｌ）でロックされた状態が施錠状態であり、この施錠状態では、扉３２（Ｌ）の開作動が規制される。第１２の区画３１（Ｌ）は、第１２のロック機構３６（Ｌ）により扉３２（Ｌ）の閉状態でのロックを解除した状態が、解錠状態であり、この解錠状態では、扉３２（Ｌ）は開作動可能となる。第１２のロック機構３６（Ｌ）は、制御部４１に制御されて第１２の区画３１（Ｌ）の施錠状態及び解錠状態を切り替える。
【００５８】
第１３の区画３１（Ｍ）は、閉状態でその前面を構成する扉３２（Ｍ）と、扉３２（Ｍ）が開状態にあるか閉状態にあるか、即ち第１３の区画３１（Ｍ）が開状態にあるか閉状態にあるかを検知する第１３の開閉検知センサ３５（Ｍ）と、扉３２（Ｍ）、即ち第１３の区画３１（Ｍ）を閉状態でロックする第１３のロック機構３６（Ｍ）とを有している。
【００５９】
第１３の区画３１（Ｍ）には、被保管物として、例えば、書類等が保管されることになる。第１３の区画３１（Ｍ）は、扉３２（Ｍ）が閉じられて第１３のロック機構３６（Ｍ）でロックされた状態が施錠状態であり、この施錠状態では、扉３２（Ｍ）の開作動が規制される。第１３の区画３１（Ｍ）は、第１３のロック機構３６（Ｍ）により扉３２（Ｍ）の閉状態でのロックを解除した状態が、解錠状態であり、この解錠状態では、扉３２（Ｍ）は開作動可能となる。第１３のロック機構３６（Ｍ）は、制御部４１に制御されて第１３の区画３１（Ｍ）の施錠状態及び解錠状態を切り替える。
【００６０】
第１４の区画３１（Ｎ）は、閉状態でその前面を構成する扉３２（Ｎ）と、扉３２（Ｎ）が開状態にあるか閉状態にあるか、即ち第１４の区画３１（Ｎ）が開状態にあるか閉状態にあるかを検知する第１４の開閉検知センサ３５（Ｎ）と、扉３２（Ｎ）、即ち第１４の区画３１（Ｎ）を閉状態でロックする第１４のロック機構３６（Ｎ）とを有している。
【００６１】
第１４の区画３１（Ｎ）には、被保管物として、例えば、書類等が保管されることになる。第１４の区画３１（Ｎ）は、扉３２（Ｎ）が閉じられて第１４のロック機構３６（Ｎ）でロックされた状態が施錠状態であり、この施錠状態では、扉３２（Ｎ）の開作動が規制される。第１４の区画３１（Ｎ）は、第１４のロック機構３６（Ｎ）により扉３２（Ｎ）の閉状態でのロックを解除した状態が、解錠状態であり、この解錠状態では、扉３２（Ｎ）は開作動可能となる。第１４のロック機構３６（Ｎ）は、制御部４１に制御されて第１４の区画３１（Ｎ）の施錠状態及び解錠状態を切り替える。
【００６２】
第１５の区画３１（Ｏ）は、閉状態でその前面を構成する扉３２（Ｏ）と、扉３２（Ｏ）が開状態にあるか閉状態にあるか、即ち第１５の区画３１（Ｏ）が開状態にあるか閉状態にあるかを検知する第１５の開閉検知センサ３５（Ｏ）と、扉３２（Ｏ）、即ち第１５の区画３１（Ｏ）を閉状態でロックする第１５のロック機構３６（Ｏ）とを有している。
【００６３】
第１５の区画３１（Ｏ）には、被保管物として、例えば、書類等が保管されることになる。第１５の区画３１（Ｏ）は、扉３２（Ｏ）が閉じられて第１５のロック機構３６（Ｏ）でロックされた状態が施錠状態であり、この施錠状態では、扉３２（Ｏ）の開作動が規制される。第１５の区画３１（Ｏ）は、第１５のロック機構３６（Ｏ）により扉３２（Ｏ）の閉状態でのロックを解除した状態が、解錠状態であり、この解錠状態では、扉３２（Ｏ）は開作動可能となる。第１５のロック機構３６（Ｏ）は、制御部４１に制御されて第１５の区画３１（Ｏ）の施錠状態及び解錠状態を切り替える。
【００６４】
第１６の区画３１（Ｐ）は、閉状態でその前面を構成する扉３２（Ｐ）と、扉３２（Ｐ）が開状態にあるか閉状態にあるか、即ち第１６の区画３１（Ｐ）が開状態にあるか閉状態にあるかを検知する第１６の開閉検知センサ３５（Ｐ）と、扉３２（Ｐ）、即ち第１６の区画３１（Ｐ）を閉状態でロックする第１６のロック機構３６（Ｐ）とを有している。
【００６５】
第１６の区画３１（Ｐ）には、被保管物として、例えば、書類等が保管されることになる。第１６の区画３１（Ｐ）は、扉３２（Ｐ）が閉じられて第１６のロック機構３６（Ｐ）でロックされた状態が施錠状態であり、この施錠状態では、扉３２（Ｐ）の開作動が規制される。第１６の区画３１（Ｐ）は、第１６のロック機構３６（Ｐ）により扉３２（Ｐ）の閉状態でのロックを解除した状態が、解錠状態であり、この解錠状態では、扉３２（Ｐ）は開作動可能となる。第１６のロック機構３６（Ｐ）は、制御部４１に制御されて第１６の区画３１（Ｐ）の施錠状態及び解錠状態を切り替える。
【００６６】
第１７の区画３１（Ｑ）は、閉状態でその前面を構成する扉３２（Ｑ）と、扉３２（Ｑ）が開状態にあるか閉状態にあるか、即ち第１７の区画３１（Ｑ）が開状態にあるか閉状態にあるかを検知する第１７の開閉検知センサ３５（Ｑ）と、扉３２（Ｑ）、即ち第１７の区画３１（Ｑ）を閉状態でロックする第１７のロック機構３６（Ｑ）とを有している。
【００６７】
第１７の区画３１（Ｑ）には、被保管物として、例えば、書類等が保管されることになる。第１７の区画３１（Ｑ）は、扉３２（Ｑ）が閉じられて第１７のロック機構３６（Ｑ）でロックされた状態が施錠状態であり、この施錠状態では、扉３２（Ｑ）の開作動が規制される。第１７の区画３１（Ｑ）は、第１７のロック機構３６（Ｑ）により扉３２（Ｑ）の閉状態でのロックを解除した状態が、解錠状態であり、この解錠状態では、扉３２（Ｑ）は開作動可能となる。第１７のロック機構３６（Ｑ）は、制御部４１に制御されて  第１７の区画３１（Ｑ）の施錠状態及び解錠状態を切り替える。
【００６８】
第４の下段収納ユニット１９は、被保管物を保管する第１８の区画３１（Ｒ）を有している。第１８の区画３１（Ｒ）は、第１の区画３１（Ａ）と同様の構造であり、閉状態でその前面を構成する左右の扉３２（Ｒ），３３（Ｒ）と、扉３２（Ｒ），３３（Ｒ）が開状態にあるか閉状態にあるか、即ち第１８の区画３１（Ｒ）が開状態にあるか閉状態にあるかを検知する第１８の開閉検知センサ３５（Ｒ）と、扉３２（Ｒ），３３（Ｒ）、即ち第１８の区画３１（Ｒ）を閉状態でロックする第１８のロック機構３６（Ｒ）とが設けられている。
【００６９】
第１８の区画３１（Ｒ）は、耐火構造であり、第１８の区画３１（Ｒ）には、被保管物として、例えば、走行移動可能な現金管理装置が保管されることになる。第１８の区画３１（Ｒ）は、扉３２（Ｒ），３３（Ｒ）が閉じられて第１８のロック機構３６（Ｒ）でロックされた状態が施錠状態であり、この施錠状態では、扉３２（Ｒ），３３（Ｒ）の開作動が規制される。第１８の区画３１（Ｒ）は、第１８のロック機構３６（Ｒ）により扉３２（Ｒ），３３（Ｒ）の閉状態でのロックを解除した状態が、解錠状態であり、この解錠状態では、扉３２（Ｒ），３３（Ｒ）は開作動可能となる。第１８のロック機構３６（Ｒ）は、制御部４１に制御されて第１８の区画３１（Ｒ）の施錠状態及び解錠状態を切り替える。
【００７０】
第４の区画３１（Ｄ）の鍵管理ユニット６１（Ｄ）及び第５の区画３１（Ｅ）の鍵管理ユニット６１（Ｅ）に管理される鍵５１は、図４に示すように、鍵本体５２と、鍵本体５２に連結される鍵ホルダ５３とを有している。
【００７１】
鍵管理ユニット６１（Ｄ）は、図３に示すように、複数の鍵保持部６２（Ｄ）を有している。図４に示すように、鍵保持部６２（Ｄ）はそれぞれ対応する鍵ホルダ５３が抜き差し可能となっている。複数の鍵保持部６２（Ｄ）は、それぞれ、差し込まれた鍵ホルダ５３が保持対象の鍵ホルダ５３であるか否かを検出する鍵検出部６３（Ｄ）と、利用者により押圧操作される表示ランプ一体型のホルダボタン６４（Ｄ）と、差し込まれた保持対象の鍵ホルダ５３を取り外し不可にロックする鍵ロック機構６５（Ｄ）とを有している。鍵ロック機構６５（Ｄ）は、鍵保持部６２（Ｄ）に差し込まれた鍵ホルダ５３のロック及びロック解除を制御部４１に制御されて行う。鍵ロック機構６５（Ｄ）でロックされた鍵ホルダ５３は、鍵保持部６２から引き抜き、即ち取り出し不可となり、鍵ロック機構６５（Ｄ）のロックが解除された鍵ホルダ５３は鍵保持部６２から引き抜き可能となる。
【００７２】
鍵管理ユニット６１（Ｅ）も、同様の構造であり、鍵検出部６３（Ｅ）と、ホルダボタン６４（Ｅ）と、鍵ロック機構６５（Ｅ）とを有する複数の鍵保持部６２（Ｅ）を備えている。
【００７３】
操作ユニット２１は、利用者に向けた画面表示を行うと共に利用者による操作入力を受け付けるタッチパネル式の表示操作部７１（入力手段，選択手段，表示手段）と、利用者に向けた音声出力を行う音声出力部７２と、利用者のＩＤカードがかざされるとＩＤカードに埋設されたＩＣチップから利用者識別情報を読み取るカードリーダ７３と、データを記憶する記憶部７４と、制御部４１とを有している。
【００７４】
＜２．動作＞
次に、第１実施形態の重要物管理装置１１の動作について説明する。
【００７５】
利用者による各種操作を受け付ける前の待機状態にあるとき、重要物管理装置１１は、各種設定を行う「設定操作」と、区画の解錠及び施錠を行う「解錠／施錠操作」とが受け付け可能な状態となっている。これらの操作は、何れも操作ユニット２１で受け付ける。
【００７６】
重要物管理装置１１の基本動作は、操作ユニット２１のカードリーダ７３で利用者のＩＤカードに記憶された利用者識別情報を読み取り、ＩＤカードの利用者識別情報が重要物管理装置１１を使用可能な利用者識別情報である場合に承認して、第１〜第１８の区画３１（Ａ）〜３１（Ｒ）のうち、読み取った利用者識別情報に対し許可された区画３１を選択可能とする。そして、許可された区画３１の中から一つ又は複数が選択されてその利用目的である区画利用目的が入力されると、選択された区画３１の閉状態でのロックを解除し開可能とする。これにより、利用者は、選択した区画３１を手動で開状態として被保管物の取り出し及び収納の少なくとも何れか一方を行う。
【００７７】
ここで、第１〜第３，第６〜第１８の区画３１（Ａ）〜３１（Ｃ），３１（Ｆ）〜３１（Ｒ）は、解錠状態で開状態から閉状態とされると制御部４１の制御により自動的に施錠状態となるように設定されている。他方、鍵管理ユニット６１が内蔵された第４，第５の区画３１（Ｄ），３１（Ｅ）は、解錠状態で開状態から閉状態とされても自動的に施錠状態となるか否かは設定により切り替えられるようになっている。
【００７８】
重要物管理装置１１は、鍵モードが有効な状態と、鍵モードが無効な状態とがあり、第４，第５の区画３１（Ｄ），３１（Ｅ）は、鍵モードが有効の場合、開状態から閉状態になっても施錠されずに解錠状態が維持される設定となり、鍵モードが無効の場合、第１〜第３，第６〜第１８の区画３１（Ａ）〜３１（Ｃ），３１（Ｆ）〜３１（Ｒ）と同様に、開状態から閉状態になると自動的に施錠状態となる設定となる。
【００７９】
｛鍵モードを無効から有効に切り替える有効切替動作｝
｛１｝鍵モードが無効な状態で、各種操作を受け付ける前の待機状態にあるとき、制御部４１は、操作ユニット２１の表示操作部７１に、図５に示すような第１の受付画面１０１を表示させている。この第１の受付画面１０１は、利用者にＩＤカードの読み取りを促す「カード受付を行ってください」のテキスト及びそのイラストからなる案内表示部１０２と、現在の日時を示す「２０ＸＸ／０６／１６  １３：５１」のテキストからなる日時表示部１０３と、画面右上の「鍵許可操作」のテキストを含む鍵許可操作ボタン表示部１０４とを含んでいる。
【００８０】
この状態で、利用者が鍵モードを無効から有効に切り替える場合、鍵許可操作ボタン表示部１０４に触れる接触操作を行う。この鍵許可操作ボタン表示部１０４が利用者の接触操作を検知すると、制御部４１は、表示操作部７１に、図６に示すような鍵許可操作受付画面１１１を表示させる。この鍵許可操作受付画面１１１は、第１の受付画面１０１と同様の案内表示部１０２及び日時表示部１０３と、画面左上の「鍵許可」のテキストからなる鍵許可表示部１１４とを含んでいる。
【００８１】
｛２｝この状態で、利用者が案内表示部１０２の表示に従ってＩＤカードをカードリーダ７３にかざすと、カードリーダ７３がＩＤカードから利用者識別情報を読み取る。すると、制御部４１は、表示操作部７１に、図７に示すような暗証番号入力画面１３１を表示させる。この暗証番号入力画面１３１では、「暗証番号を入力してください」のテキストからなる案内表示部１３２と、数字の入力回数に応じて「＊」等を表示する回数表示部１３３と、「０」〜「９」までのテキストを含むテンキーボタン表示部１３４と、「入力」のテキストを含む入力ボタン表示部１３６とを表示させる。
【００８２】
｛３｝暗証番号入力画面１３１において、利用者がテンキーボタン表示部１３４への接触操作で暗証番号を入力し、入力ボタン表示部１３６への接触操作で暗証番号を確定する。テンキーボタン表示部１３４で数字が入力された後、入力ボタン表示部１３６が利用者の接触操作を検知すると、制御部４１は、ＩＤカードから読み取った利用者識別情報及び入力された暗証番号の組み合わせが、記憶部７４に記憶されている、鍵モードの無効から有効への切り替えが許可された利用者識別情報及び暗証番号の組み合わせの中にあるか否かを判定する。
【００８３】
読み取った利用者識別情報及び入力された暗証番号の組み合わせが、鍵モードの無効から有効への切り替えが許可された利用者識別情報及び暗証番号の組み合わせの中にあれば、制御部４１は、読み取った利用者識別情報を承認して、第４のロック機構３６（Ｄ）及び第５のロック機構３６（Ｅ）のロックを解除し、第４の区画３１（Ｄ）及び第５の区画３１（Ｅ）を解錠状態とする。この状態が、鍵モードが有効な状態である。これら｛１｝〜｛３｝が有効切替動作である。
【００８４】
重要物管理装置１１は、鍵モードが有効な状態では、第４の区画３１（Ｄ）及び第５の区画３１（Ｅ）が常時解錠状態である。このため、第４の区画３１（Ｄ）の扉３２（Ｄ）及び第５の区画３１（Ｅ）の扉３２（Ｅ）は自由に開閉できることになる。よって、利用者が扉３２を手動で開いて鍵管理ユニット６１を露出させることができる。ここで、鍵管理ユニット６１の鍵保持部６２は、鍵５１の鍵ホルダ５３が差し込まれると、差し込まれた鍵ホルダ５３を鍵検出部６３で検出することになる。その結果、鍵検出部６３に差し込まれた鍵ホルダ５３が保持対象であれば、制御部４１は、鍵ロック機構６５で鍵ホルダ５３を鍵保持部６２にロックし施錠状態とすることになる。従って、鍵モードを有効にしておけば、利用者は、鍵５１の返却時等には再度解錠作業を行う必要が無くなり、鍵５１を鍵管理ユニット６１の対応する鍵保持部６２に差し込めば返却を行うことができ、第４の区画３１（Ｄ）及び第５の区画３１（Ｅ）の解錠作業の分の手間を省略することができるようになっている。
【００８５】
｛鍵モードを有効から無効に切り替える無効切替動作｝
｛１｝鍵モードが有効な状態で、各種操作を受け付ける前の待機状態にあるとき、制御部４１は、操作ユニット２１の表示操作部７１に、図８に示すような第２の受付画面１４１を表示させている。この第２の受付画面１４１には、第１の受付画面１０１と同様の案内表示部１０２及び日時表示部１０３と、画面右上の「鍵禁止操作」のテキストを含む鍵禁止操作ボタン表示部１４４とを表示させている。
【００８６】
この状態で、利用者が鍵モードを有効から無効に切り替える場合、鍵禁止操作ボタン表示部１４４に触れる接触操作を行う。この鍵禁止操作ボタン表示部１４４が利用者の接触操作を検知すると、制御部４１は、表示操作部７１に、図９に示すような鍵禁止操作受付画面１５１を表示させる。この鍵禁止操作受付画面１５１では、鍵許可操作受付画面１１１と同様の案内表示部１０２及び日時表示部１０３と、画面左上の「鍵禁止」のテキストからなる鍵禁止表示部１５４とを表示させる。
【００８７】
｛２｝この状態で、利用者が案内表示部１０２の表示に従ってＩＤカードをカードリーダ７３にかざすことにより、カードリーダ７３がＩＤカードから利用者識別情報を読み取ると、制御部４１は、表示操作部７１に、図７に示すような暗証番号入力画面１３１を表示させる。
【００８８】
｛３｝この暗証番号入力画面１３１において、テンキーボタン表示部１３４及び入力ボタン表示部１３６で暗証番号が入力されると、制御部４１は、読み取った利用者識別情報及び入力された暗証番号の組み合わせが、記憶部７４に記憶されている鍵モードの有効から無効への切り替えが許可された利用者識別情報及び暗証番号の組み合わせの中にあるか否かを判定する。
【００８９】
読み取った利用者識別情報及び入力された暗証番号の組み合わせが、鍵モードの有効から無効への切り替えが許可された利用者識別情報及び暗証番号の組み合わせの中にあれば、制御部４１は、読み取った利用者識別情報を承認して、第４のロック機構３６（Ｄ）及び第５のロック機構３６（Ｅ）を駆動してロックし、第４の区画３１（Ｄ）及び第５の区画３１（Ｅ）を施錠状態とする。この状態が、鍵モードが無効な状態である。これらの｛１｝〜｛３｝が無効切替動作である。
【００９０】
重要物管理装置１１は、鍵モードが無効な状態では、上記のように、第４の区画３１（Ｄ）及び第５の区画３１（Ｅ）が施錠状態であるため、第４の区画３１（Ｄ）の扉３２（Ｄ）及び第５の区画３１（Ｅ）の扉３２（Ｅ）は閉じられた状態に維持されることになる。よって、利用者は、第４の区画３１（Ｄ）及び第５の区画３１（Ｅ）を解錠状態にしなければ、鍵管理ユニット６１にアクセスすることができない。従って、鍵モードを無効にしておけば、例えば、鍵５１の返却時等においても再度解錠作業を行う必要が生じることになる。
【００９１】
以上により、第１実施形態の重要物管理装置１１は、鍵管理ユニット６１が内蔵された第４の区画３１（Ｄ）及び第５の区画３１（Ｅ）は、閉状態になっても施錠されずに解錠状態が維持される鍵モードが有効な状態と、閉状態になると自動施錠される鍵モードが無効な状態とを選択的に切り替えることができる。第４の区画３１（Ｄ）及び第５の区画３１（Ｅ）は、個別に鍵モードが有効な状態と無効な状態とに切り替え可能である。
【００９２】
＜設定動作＞
利用者の操作ユニット２１への設定操作に応じて実行する設定動作について説明する。
【００９３】
操作ユニット２１の表示操作部７１に表示される「管理メニュー画面」において各種設定及び設定の変更が行われる。各種設定及び設定の変更は、利用者の中でも上位の管理者のみができるようになっている。
【００９４】
｛１｝制御部４１は、待機状態にあるとき、操作ユニット２１の表示操作部７１に、鍵モードが無効な状態では図５に示すような第１の受付画面１０１を表示させており、鍵モードが有効な状態では図８に示すような第２の受付画面１４１を表示させている。この状態で、カードリーダ７３がＩＤカードから利用者識別情報を読み取ると、制御部４１は、表示操作部７１に、図７に示すような暗証番号入力画面１３１を表示させる。
【００９５】
｛２｝この暗証番号入力画面１３１において、テンキーボタン表示部１３４及び入力ボタン表示部１３６で暗証番号が入力されると、制御部４１は、読み取った利用者識別情報及び入力された暗証番号の組み合わせが、記憶部７４に記憶されている各種設定及び設定の変更が許可された利用者識別情報及び暗証番号の組み合わせ、即ち管理者の利用者識別情報及び暗証番号の組み合わせの中にあるか否かを判定する。
【００９６】
読み取った利用者識別情報及び入力された暗証番号の組み合わせが、各種設定及び設定の変更が許可された利用者識別情報及び暗証番号の組み合わせの中にあれば、制御部４１は、読み取った利用者識別情報を承認して、鍵モードが有効の場合は図１０に示すような第１の区画選択画面１６１を表示操作部７１に表示させ、鍵モードが無効の場合は図１１に示すような第２の区画選択画面１８１を表示操作部７１に表示させる。この際、図１０に示すように、第１の区画選択画面１６１には、画面右下に「管理」のテキストを含む管理ボタン表示部１６２を表示させることになり、図１１に示すように、第２の区画選択画面１８１にも、同様の管理ボタン表示部１６２を表示させる。
【００９７】
｛３｝この状態で、利用者が各種設定及び設定の変更を行う場合、管理ボタン表示部１６２に触れる接触操作を行う。この管理ボタン表示部１６２が利用者の接触操作を検知すると、制御部４１は、表示操作部７１に、図１２に示すような管理メニュー画面２０１を表示させる。この管理メニュー画面２０１では、「管理メニュー」のテキストからなる題目表示部２０２と、「暗証番号変更」のテキストを含む暗証番号変更ボタン表示部２０３と、「詳細設定」のテキストを含む詳細設定ボタン表示部２０４とを表示させる。
【００９８】
この管理メニュー画面２０１において暗証番号変更ボタン表示部２０３が利用者の接触操作を検知すると、制御部４１は、利用者に変更前後の暗証番号の入力を行わせて変更後の暗証番号を記憶部７４に記憶する暗証番号の変更設定動作を行う。
【００９９】
（詳細設定動作）  
管理メニュー画面２０１において詳細設定ボタン表示部２０４が利用者の接触操作を検知すると、制御部４１は、詳細設定動作を開始し、図１３に示すような詳細設定メニュー画面２１１を表示操作部７１に表示させる。詳細設定メニュー画面２１１は、「履歴情報一覧」のテキストを含む履歴情報一覧ボタン表示部２１２と、「個人情報一覧」のテキストを含む個人情報一覧ボタン表示部２１３と、「現在日時設定」のテキストを含む現在日時設定ボタン表示部２１４と、「利用権限設定」のテキストを含む利用権限設定ボタン表示部２１５と、「区画利用目的設定」のテキストを含む区画利用目的設定ボタン表示部２１６と、「鍵利用目的設定」のテキストを含む鍵利用目的設定ボタン表示部２１７と、「利用目的入力設定」のテキストを含む利用目的入力設定ボタン表示部２１８と、を含んでいる。
【０１００】
この詳細設定メニュー画面２１１において履歴情報一覧ボタン表示部２１２が利用者の接触操作を検知すると、制御部４１は、記憶部７４から、記憶部７４に記憶されている重要物管理装置１１で行われた処理に関する情報を読み出し、図１４に示すような区画履歴情報一覧画面２２１を表示操作部７１に表示させる。
【０１０１】
区画履歴情報一覧画面２２１は、「区画履歴情報一覧」のテキストからなる題目表示部２２２と、読み出した区画履歴情報を時系列順に並べた区画履歴情報一覧表示部２２３とを含む。区画履歴情報一覧表示部２２３は、例えば、区画３１の識別情報である区画識別情報と、利用者の氏名である利用者氏名、利用者の識別番号である利用者識別番号、区画３１の解錠時間である区画解錠時間、区画３１の利用目的である区画利用目的及び区画３１の施錠時間である区画施錠時間を含んでいる。区画識別情報、利用者氏名、利用者識別番号、区画解錠時間、区画利用目的及び区画施錠時間は、区画履歴情報一覧表示部２２３の同じ段に並べられて表示されたものが対応する。これにより、どの利用者がいつどの区画を何の目的で解錠したのかを容易に把握することができるようになっている。
【０１０２】
区画履歴情報一覧画面２２１は、画面右下に「印刷」のテキストを含む印刷ボタン表示部２２５を有している。印刷ボタン表示部２２５が利用者の接触操作を検知すると、制御部４１は、これらの区画履歴情報を、操作ユニット２１に内蔵されているプリンタによって印刷する。
【０１０３】
また、区画履歴情報一覧画面２２１は、画面左下に「切替」のテキストを含む切替ボタン表示部２２６を有している。切替ボタン表示部２２６が利用者の接触操作を検知すると、制御部４１は、記憶部７４から読み出した情報の中から、図１５に示すような鍵履歴情報一覧画面２３１を表示操作部７１に表示させる。
【０１０４】
鍵履歴情報一覧画面２３１は、「鍵履歴情報一覧」のテキストからなる題目表示部２３２と、読み出した鍵履歴情報を時系列順に並べた鍵履歴情報一覧表示部２３３とを含む。鍵履歴情報一覧表示部２３３は、例えば、鍵の鍵識別情報と、利用者氏名、利用者識別番号、鍵の取り出し時間である鍵取り出し時間、鍵の利用目的である鍵利用目的及び鍵の返却時間である鍵返却時間を含んでいる。鍵識別情報と、利用者氏名、利用者識別番号、鍵取り出し時間、鍵利用目的及び鍵返却時間は、鍵履歴情報一覧表示部２３３の同じ段に並べられて表示されたものが対応する。これにより、どの利用者がいつどの鍵を何の目的で解錠したのかを容易に把握することができるようになっている。
【０１０５】
鍵履歴情報一覧画面２３１は、区画履歴情報一覧画面２２１と同様、鍵履歴情報を印刷するための印刷ボタン表示部２２５と、切替ボタン表示部２２６とを有している。切替ボタン表示部２２６が利用者の接触操作を検知すると、制御部４１は、表示操作部７１を区画履歴情報一覧画面２２１に切り替える。
【０１０６】
図１３に示すような詳細設定メニュー画面２１１において個人情報一覧ボタン表示部２１３が利用者の接触操作を検知すると、制御部４１は、記憶部７４から、記憶部７４に記憶されている利用者の個人情報を読み出し、読み出した情報を含む個人情報一覧画面を表示操作部７１に表示させる。例えば、利用者氏名、利用者識別番号、管理者か否か等の、利用者の個人情報を表示させる。更に、利用者の現在利用している区画及び過去に利用した区画、これらの区間解錠時間、区画利用目的、区画施錠時間や、現在利用している鍵及び過去に利用した鍵、これらの鍵取り出し時間、鍵利用目的、鍵返却時間等の、利用者の個別履歴情報を表示させる。また、個人情報一覧画面の表示では、利用者の個人情報の設定及び変更を受け付けるようになっており、記憶部７４に記憶されている個人情報の設定及び変更を、表示操作部７１への入力に応じて行う。例えば、Ｔ氏の個人情報を新たに追加する等の設定や、Ｕ氏の個人情報を非管理者から管理者の個人情報に変更する等の変更が可能である。
【０１０７】
詳細設定メニュー画面２１１において現在日時設定ボタン表示部２１４が利用者の接触操作を検知すると、制御部４１は、現在日時の設定及び変更を受け付ける現在日時設定画面を表示操作部７１に表示させて、現在日時の設定及び変更を、表示操作部７１への入力に応じて行う。
【０１０８】
詳細設定メニュー画面２１１において利用権限設定ボタン表示部２１５が利用者の接触操作を検知すると、制御部４１は、区画３１毎に利用権限の設定及び変更を受け付ける利用権限設定画面を表示操作部７１に表示させて、記憶部７４に記憶されている区画３１毎の利用権限の設定及び変更を、表示操作部７１への入力に応じて行う。
【０１０９】
例えば、区画３１毎に、開から閉で自動的に施錠状態にするか否かの設定及び変更を行う。具体的には、第１の区画３１（Ａ）及び第２の区画３１（Ｂ）は、閉状態にしても施錠状態にならず解錠状態が維持されるように利用権限を広く設定し、それ以外の区画３１は、閉状態にすると自動的に施錠状態になるように利用権限を狭く設定する等の設定及び変更が可能である。即ち、区画３１毎に、閉状態となった際に自動的に施錠されるのか施錠されずに解錠状態が維持されるのかを設定可能である。
【０１１０】
また、例えば、区画３１毎に、利用可能な利用者の設定及び変更を行う。例えば、区画３１毎に、特別に登録した一部の利用者のみ利用可能な設定としたり、管理者のみ利用可能な設定としたり、登録者（管理者及び非管理者）であれば誰でも利用可能な設定としたりすることが可能となっている。
【０１１１】
また、例えば、区画３１毎に、利用可能な利用者を時間に応じて変更する等のスケジュール設定の設定及び変更を行う。例えば、所定の区画３１は、平日の９時〜１８時までは登録者（管理者及び非管理者）であれば誰でも利用可能とし、１８時〜９時までは管理者のみ利用可能とし、土日祝日は誰であっても利用できない設定にしたりすることが可能となっている。
【０１１２】
また、例えば、区画３１毎に、２人認証（ダブル認証）を必要とするのか、１人認証（シングル認証）で良いのか等の設定及び変更を行う。
【０１１３】
勿論、これらの設定及び変更を適宜組み合わせて行うことも可能となっている。
【０１１４】
詳細設定メニュー画面２１１において区画利用目的設定ボタン表示部２１６が利用者の接触操作を検知すると、制御部４１は、図１６に示すような区画利用目的設定画面２４１を表示操作部７１に表示させて、記憶部７４への区画利用目的の設定及び記憶部７４に記憶されている区画利用目的の変更を、表示操作部７１への入力に応じて行う区画利用目的設定変更動作を行う。即ち、所望の区画利用目的が記憶部７４に記憶されていなければ設定したり、既に設定されている区画利用目的を変更したりする。
【０１１５】
｛１｝区画利用目的設定画面２４１では、「区画利用目的設定」のテキストからなる題目表示部２４２と、目的１〜目的２０までの項目表示部２４３と、各項目表示部２４３に対する区画利用目的の内容表示部２４４と、各項目表示部２４３に対する選択ボタン表示部２４５とを表示操作部７１に表示させる。そして、目的１〜目的２０に対応する選択ボタン表示部２４５の中から、何れかの選択ボタン表示部２４５が利用者の接触操作を検知すると、制御部４１は、図１７に示すようなキーボード画面２５１を、区画利用目的設定画面２４１上に重ねて表示させる。
【０１１６】
｛２｝このキーボード画面２５１を用いて利用者が区画利用目的のテキストを入力したり、すでに設定されて記憶部７４に記憶されている区画利用目的のテキストを変更したりする。例えば、目的１に対応する区画利用目的のテキストが記憶部７４に記憶されていない場合、目的１に対応する選択ボタン表示部２４５が利用者の接触操作を検知すると、制御部４１は、キーボード画面２５１を表示操作部７１に表示させる。このキーボード画面２５１によって、例えば「書類の取り出しのため」と区画利用目的のテキストが入力されて、キーボード画面２５１の「ＯＫ」のテキストを含む確定ボタン表示部２５２が接触操作されると、制御部４１は、キーボード画面２５１を区画利用目的設定画面２４１上から消すと共に、入力された「書類の取り出しのため」のテキストを、目的１に対応する内容表示部２４４に表示させる。このようにして、利用者が区画利用目的のテキストを入力したり変更したりした後、図１６に示す区画利用目的設定画面２４１の画面右下の「登録」のテキストを含む登録ボタン表示部２４６が接触操作されると、制御部４１は、入力された「書類の取り出しのため」の区画利用目的を目的１に対応付けて記憶部７４に記憶する。例えば複数の目的１〜３にそれぞれ対応して区画利用目的が入力された後、登録ボタン表示部２４６の接触操作を検知すると、制御部４１は、目的１〜３にそれぞれ対応付けて入力された区画利用目的をそれぞれ目的１〜３に対応付けて記憶部７４に記憶する。
【０１１７】
詳細設定メニュー画面２１１において鍵利用目的設定ボタン表示部２１７が利用者の接触操作を検知すると、制御部４１は、鍵利用目的設定画面（図示略）を表示操作部７１に表示させて、記憶部７４に記憶されている鍵利用目的の設定及び変更を、区画利用目的の設定及び変更と同様に、表示操作部７１への入力に応じて行う鍵利用目的設定変更動作を行う。
【０１１８】
詳細設定メニュー画面２１１において利用目的入力設定ボタン表示部２１８が利用者の接触操作を検知すると、制御部４１は、利用目的入力設定画面（図示略）を表示操作部７１に表示させて、記憶部７４に記憶されている区画３１毎の区画利用目的入力の有無の設定及び変更を、表示操作部７１への入力に応じて行う利用目的入力設定変更動作を行う。即ち、区画３１毎に、解錠時に区画利用目的を入力するか否かを設定できる。
【０１１９】
例えば、第４の区画３１（Ｄ）及び第５の区画３１（Ｅ）は、区画利用目的を入力しない設定とし、それ以外の区画３１は区画利用目的を入力する設定とすることが可能である。
【０１２０】
また、利用目的入力設定変更動作では、記憶部７４に記憶されている鍵５１毎の鍵利用目的入力の有無の設定及び変更を、表示操作部７１への入力に応じて行う。即ち、鍵５１毎に、取り出し時に鍵利用目的の入力を要する設定としたり、鍵利用目的の入力を必要としない設定としたりすることが可能である。よって、鍵５１毎に、鍵利用目的を入力するか否かを設定できる。
【０１２１】
例えば、第４の区画３１（Ｄ）に保管される鍵５１は、取り出し時に鍵利用目的の入力を要する設定とし、第５の区画３１（Ｅ）に保管される鍵５１は、取り出し時に鍵利用目的を入力を必要としない設定とすることが可能である。また、例えば、第４の区画３１（Ｄ）の一部の鍵保持部６２と第５の区画３１（Ｅ）の一部の鍵保持部６２とに保管される鍵５１については、取り出し時に鍵利用目的の入力を要する設定とし、第４の区画３１（Ｄ）の残りの鍵保持部６２と第５の区画３１（Ｅ）の残りの鍵保持部６２とに保管される鍵５１については、取り出し時に鍵利用目的を入力を必要としない設定とすることが可能である。
【０１２２】
更に、第４の区画３１（Ｄ）及び第５の区画３１（Ｅ）内の鍵５１の取り出し時に鍵利用目的の入力を要する設定とするのであれば、第４の区画３１（Ｄ）及び第５の区画３１（Ｅ）の解錠時には区画利用目的の入力を必要としない設定にすることが可能である。その逆に、第４の区画３１（Ｄ）及び第５の区画３１（Ｅ）の解錠時に区画利用目的を入力するように設定し、第４の区画３１（Ｄ）及び第５の区画３１（Ｅ）内の鍵５１の取り出し時に鍵利用目的の入力を必要としない設定にすることが可能である。又は、第４の区画３１（Ｄ）及び第５の区画３１（Ｅ）において、解錠時及び鍵取り出し時のどちらのときも区画利用目的及び鍵利用目的を入力をしないように設定することが可能である。
【０１２３】
＜解錠動作及び施錠動作＞
次に、利用者の解錠操作に応じて実行する解錠動作及び利用者の施錠操作に応じて実行する施錠動作について説明する。
【０１２４】
＜閉時に自動施錠される区画の解錠動作及び施錠動作＞
先ず、閉時に自動施錠される区画である第１〜第３の区画３１（Ａ）〜３１（Ｃ）及び第６〜第１８の区画３１（Ｆ）〜３１（Ｒ）の解錠動作及び施錠動作について説明する。
【０１２５】
｛１｝制御部４１は、待機状態にあるとき、操作ユニット２１の表示操作部７１に、鍵モードが有効な状態では図８に示すような第２の受付画面１４１を表示させており、鍵モードが無効な状態では図５に示すような第１の受付画面１０１を表示させている。これらの状態で、カードリーダ７３がＩＤカードから利用者識別情報を読み取ると、制御部４１は、認証動作を開始し、表示操作部７１に、図７に示すような暗証番号入力画面１３１を表示させる。
【０１２６】
｛２｝この暗証番号入力画面１３１において、テンキーボタン表示部１３４及び入力ボタン表示部１３６で暗証番号が入力されると、制御部４１は、カードリーダ７３が読み取った利用者識別情報及び入力された暗証番号の組み合わせが、記憶部７４に記憶されている解錠操作及び施錠操作が許可された利用者識別情報及び暗証番号の組み合わせ、即ち管理者及び非管理者の利用者識別情報及び暗証番号の組み合わせの中にあるか否かを判定する。
【０１２７】
読み取った利用者識別情報及び入力された暗証番号の組み合わせが、解錠操作及び施錠操作が許可された利用者識別情報及び暗証番号の組み合わせの中にあれば、制御部４１は、読み取った利用者識別情報を承認して、鍵モードが有効の場合であって、利用者が管理者である場合、図１０に示すような管理ボタン表示部１６２を含む第１の区画選択画面１６１を表示操作部７１に表示させることになる。また、制御部４１は、鍵モードが有効の場合であって、利用者が非管理者である場合、図１８に示すように、管理者用に対し管理ボタン表示部１６２のない第１の区画選択画面２６１を表示操作部７１に表示させることになる。また、鍵モードが無効の場合であって、利用者が管理者である場合、図１１に示すように、管理ボタン表示部１６２を含む第２の区画選択画面１８１を表示操作部７１に表示させることになる。また、鍵モードが無効の場合であって、利用者が非管理者である場合、図１９に示すように、管理者用に対し管理ボタン表示部１６２のない第２の区画選択画面２８１を表示操作部７１に表示させることになる。
【０１２８】
また、鍵モードが有効の場合に、制御部４１は、図１０，図１８に示すように、表示操作部７１の第１の区画選択画面１６１，２６１の左側の候補区画表示部１６３内に、鍵管理ユニット６１を内蔵する第４の区画３１（Ｄ）及び第５の区画３１（Ｅ）を除く重要物管理装置１１の全ての区画３１のうち、動作初期においてカードリーダ７３がＩＤカードから読み取った利用者識別情報に対して上記した詳細設定動作の利用権限設定において利用可能と設定されている全ての区画３１の選択用の区画選択ボタン表示部１６４を区画３１の番号順に表示させる。
【０１２９】
鍵モードが無効の場合に、制御部４１は、図１１，図１９に示すように、表示操作部７１の第２の区画選択画面１８１，２８１の左側の候補区画表示部１６３内に、鍵管理ユニット６１を内蔵する第４の区画３１（Ｄ）及び第５の区画３１（Ｅ）を含む重要物管理装置１１の全ての区画３１のうち、動作初期においてカードリーダ７３がＩＤカードから読み取った利用者識別情報に対して上記した詳細設定動作の利用権限設定において利用可能と設定されている全ての区画３１の区画選択ボタン表示部１６４を区画３１の番号順に表示させる。
【０１３０】
区画選択ボタン表示部１６４は、第１の区画３１（Ａ）を示す「００１」、第２の区画３１（Ｂ）を示す「００２」等の区画番号表示と、それぞれの区画３１の呼称をテキストで示す呼称表示とからなっている。第１の区画選択画面１６１，２６１及び第２の区画選択画面１８１，２８１は、画面上部に「区画を選択してください」のテキストからなる案内表示部１６５を有している。
【０１３１】
更に、制御部４１は、表示操作部７１の第１の区画選択画面１６１，２６１及び第２の区画選択画面１８１，２８１において、２人認証が必要な区画３１（例えば第６の区画３１（Ｆ））を選択する際に接触操作される区画選択ボタン表示部１６４と、１人認証でよい区画３１（例えば第６の区画３１（Ｆ）以外）を選択する際に接触操作される区画選択ボタン表示部１６４とを、例えば２人認証が必要な区画選択用の区画選択ボタン表示部１６４を緑色に、１人認証でよい区画選択用の区画選択ボタン表示部１６４を青色に色分けして表示させる。
【０１３２】
なお、閉時に自動施錠される区画である第１〜第３の区画３１（Ａ）〜３１（Ｃ），第６〜第１８の区画３１（Ｆ）〜３１（Ｒ）の解錠動作及び施錠動作においては、鍵モードが有効であっても無効であっても同じ動作となる。よって、以下では、鍵モードが有効で利用者が非管理者の場合を例にとり説明する。
【０１３３】
｛３｝解錠動作において、図１８に示すような第１の区画選択画面２６１を表示操作部７１に表示させた状態で、左側の候補区画表示部１６３内から、区画選択ボタン表示部１６４の１つ、例えば「００３  両開き収納（中型）」のテキストを含む第３の区画３１（Ｃ）選択用の区画選択ボタン表示部１６４（Ｃ）が利用者の接触操作を検知すると、制御部４１は、解錠対象区画選択動作を開始し、接触操作を検知した区画選択ボタン表示部１６４（Ｃ）に対応する第３の区画３１（Ｃ）を解錠対象とし、図２０に示すように、第３の区画３１（Ｃ）を示す「００３  両開き収納（中型）」のテキストからなる選択後表示部１６６（Ｃ）を右側の選択区画表示部１６７内に表示させて、第３の区画３１（Ｃ）用の区画選択ボタン表示部１６４（Ｃ）が選択されたことを示す。また、候補区画表示部１６３の区画選択ボタン表示部１６４のうちの区画選択ボタン表示部１６４（Ｃ）を、選択される前と選択された後とで色を変えて、区画選択ボタン表示部１６４（Ｃ）が選択されたことを示す。例えば、選択前には全て緑色又は青色とされていた候補区画表示部１６３の区画選択ボタン表示部１６４に対し、区画選択ボタン表示部１６４（Ｃ）が利用者の接触操作を検知すると、区画選択ボタン表示部１６４のうち区画選択ボタン表示部１６４（Ｃ）のみを灰色とする。
【０１３４】
この状態で、第２の区画選択画面２８１の画面左下の「個別解錠」のテキストを含む個別解錠ボタン表示部１６８が利用者の接触操作を検知すると、制御部４１は、解錠対象区画選択動作を終了して、区画利用目的選択動作を行う。
【０１３５】
｛４｝区画利用目的選択動作では、まず、図２１に示すような区画利用目的選択画面３０１を表示操作部７１に表示させる。この区画利用目的選択画面３０１においては、「目的を選択してください」のテキストである案内表示部３０２と、上記した区画利用目的設定変更動作で設定及び変更された区画利用目的のテキストをそれぞれ含む、複数の区画利用目的選択ボタン表示部３０３を並べて表示させる。この区画利用目的選択画面３０１において、区画利用目的選択ボタン表示部３０３の１つ、例えば、「書類の取り出しのため」のテキストを含む区画利用目的選択ボタン表示部３０３（ａ）が利用者の接触操作を検知すると、制御部４１は、この区画利用目的選択ボタン表示部３０３（ａ）にチェックマークを表示させて、この区画利用目的選択ボタン表示部３０３（ａ）が選択されたことを示す。
【０１３６】
この状態で、区画利用目的選択画面３０１の画面左下の「選択」のテキストを含む区画利用目的選択完了ボタン表示部３０４が利用者の接触操作を検知すると、制御部４１は、区画利用目的選択動作を終了し、解錠対象として選択された第３の区画３１（Ｃ）を、第３のロック機構３６（Ｃ）を駆動して解錠状態とする区画解錠本動作を行う。
【０１３７】
そして、この区画解錠本動作において、制御部４１は、今回解錠状態となった区画３１の区画識別情報、この区画３１を今回解錠した利用者の利用者氏名、この区画３１を今回解錠した利用者の利用者識別番号、この区画３１の今回の区画利用目的、この区画３１の今回の区画解錠時間等を関連付けて一の解錠の区画履歴情報として記憶部７４に記憶する。即ち、この一の解錠の区画履歴情報を記憶することによって、今回解錠状態となった区画３１の区画識別情報、何れも今回の解錠に関連する、利用者氏名、利用者識別番号及び区画解錠時間を含む利用履歴と、区画利用目的とを一元管理することができる。なお、利用者の氏名及び識別番号は、｛１｝，｛２｝でカードリーダ７３がＩＤカードから読み取って承認した利用者識別情報に含まれるものである。
【０１３８】
この一の解錠の区画履歴情報は、図１４に示すように、例えば、今回解錠状態となった区画３の区画識別情報が第３の区画であることを示す「００３」であり、この区画３１を今回解錠した利用者の利用者氏名が「Ｗ氏」であり、この区画３１を今回解錠した利用者、即ちＷ氏の利用者識別番号が「Ｌ１１１１」であり、この区画３１の今回の区画利用目的が「書類の取り出しのため」であり、この区画３１の今回の区画解錠時間が「○○：○○」であることを含む。
【０１３９】
以上により、複数の区画３１の中から利用する区画３１が表示操作部７１に選択入力されると、その後、表示操作部７１には、選択入力された区画３１に対する区画利用目的が入力される。そして、記憶部７４が、選択入力された区画３１とこれに対する区画利用目的とを対応付けて記憶する。
【０１４０】
解錠対象として選択されて解錠された第３の区画３１（Ｃ）が、その後、開状態となって被保管物の出し入れが行われた後に、閉状態になり、この開状態から閉状態になったことを第３の開閉検知センサ３５（Ｃ）が検知すると、制御部４１は、第３の区画３１（Ｃ）を自動的に施錠状態にする施錠動作を行う。
【０１４１】
そして、制御部４１は、この施錠動作として、今回施錠状態となった区画３１の区画識別情報、この区画３１を今回の施錠直前に解錠した利用者の利用者氏名、この区画３１を今回の施錠直前に解錠した利用者の利用者識別番号、この区画３１の今回の区画施錠時間等を関連付けて一の施錠の区画履歴情報として記憶部７４に記憶する。この一の施錠の区画履歴情報は、その直前に記憶された同じ区画識別情報を含む一の解錠の区画履歴情報と関連付けられて記憶される。このときの利用者の氏名及び識別番号も、｛１｝，｛２｝でカードリーダ７３がＩＤカードから読み取って承認した利用者識別情報に含まれるものとなる。
【０１４２】
この一の施錠の区画履歴情報は、図１４に示すように、例えば、今回施錠状態となった区画３１の区画識別情報が第３の区画であることを示す「００３」であり、この区画３１を今回の施錠直前に解錠した利用者の利用者氏名が「Ｗ氏」であり、この区画３１を今回の施錠直前に解錠した利用者の利用者識別番号が「Ｌ１１１１」であり、この区画の今回の区画施錠時間が「△△：△△」であることを含む。
【０１４３】
ここで、上記した利用目的入力設定変更動作で、区画利用目的を入力しない設定とされた区画３１、例えば、第４の区画３１（Ｄ）及び第５の区画３１（Ｅ）のみが、｛３｝の解錠対象区画選択動作において解錠対象として選択された場合、制御部４１は、｛４｝において、区画利用目的選択動作を行わずに、区画解錠本動作を行う。即ち、区画利用目的の入力を省略して、選択された区画３１を解錠する。
【０１４４】
｛｛ア｝解錠対象区画選択動作において区画３１が複数選択された場合｝
｛３｝の解錠対象区画選択動作では、表示操作部７１の図２２に示すような区画選択画面２８１において、区画３１が複数選択可能であり、例えば、第３の区画３１（Ｃ）及び第８の区画３１（Ｈ）の２つが選択されて個別解錠ボタン表示部１６８が操作された場合、｛４｝の区画利用目的選択動作において、図２１に示すような区画利用目的選択画面３０１にて、選択された複数の第３の区画３１（Ｃ）及び第８の区画３１（Ｈ）に共通の区画利用目的が１つ選択されて入力される。
【０１４５】
例えば、共通の区画利用目的として「書類の取り出しのため」の区画利用目的選択ボタン表示部３０３（ａ）が利用者の接触操作を検知した後、区画利用目的選択完了ボタン表示部３０４が利用者の接触操作を検知すると、制御部４１は、区画解錠本動作として、選択された複数の区画３１である第３の区画３１（Ｃ）及び第８の区画３１（Ｈ）を解錠すると共に、今回解錠状態となった複数の区画３１である第３の区画３１（Ｃ）及び第８の区画３１（Ｈ）の区画識別情報、これらの区画３１を今回解錠した利用者の利用者氏名、これらの区画３１を今回解錠した利用者の利用者識別番号、これらの区画３１の共通の今回の区画利用目的、これらの区画３１の今回の区画解錠時間等を関連付けて一の解錠の区画履歴情報として記憶部７４に記憶する。即ち、表示操作部７１には、複数の区画３１の中から利用する区画３１が複数選択入力可能であり、選択された複数の区画３１に対する共通の区画利用目的が入力される。これにより、利用者は、複数の区画３１を同時に解錠することができると共に、複数の区画３１に共通の区画利用目的を一つ入力すれば良いので、利便性に優れる。
【０１４６】
この場合の一の解錠の区画履歴情報は、例えば、今回解錠状態となった区画３１の区画識別情報が「第３の区画」及び「第８の区画」であり、これらの区画３１を今回解錠した利用者の氏名が「Ｗ氏」であり、これらの区画３１を今回解錠した利用者の識別番号が「Ｌ１１１１」であり、これらの区画３１の今回の共通の区画利用目的が「書類の取り出しのため」であり、これらの区画３１の今回の区画解錠時間が「○○：○○」であることを含む。
【０１４７】
｛｛ア｝の解錠対象区画選択動作において区画が複数選択された場合の変形例｝
｛３｝の解錠対象区画選択動作において、図２２に示すような区画選択画面２８１にて、区画３１が複数、例えば、第３の区画３１（Ｃ）及び第８の区画３１（Ｈ）の２つが選択されて個別解錠ボタン表示部１６８が操作された場合、｛４｝の区画利用目的選択動作において、選択された複数の第３の区画３１（Ｃ）及び第８の区画３１（Ｈ）に対して共通の区画利用目的を選択させることに限定されるものではなく、これらの第３の区画３１（Ｃ）及び第８の区画３１（Ｈ）毎に個別に区画利用目的を１つずつ選択させるようにしても良い。
【０１４８】
具体的には、先ず、制御部４１は、図２３に示すような区画利用目的選択画面３１１を表示操作部７１に表示させる。この区画利用目的選択画面３１１には、解錠対象区画選択動作において選択された一の第３の区画３１（Ｃ）を示す「００３  両開き収納（中型）」のテキストを画面左上の区画表示部３１２に表示させる。この区画利用目的選択画面３１１において、第３の区画３１（Ｃ）の区画利用目的が１つ、例えば「書類の取り出しのため」の区画利用目的選択ボタン表示部３０３（ａ）が選択されて、区画利用目的選択完了ボタン表示部３０４が操作されると、制御部４１は、図２４に示すような区画利用目的選択画面３２１を表示操作部７１に表示させる。この区画利用目的選択画面３２１には、解錠対象区画選択動作において選択された他の第８の区画３１（Ｈ）を示す「００８  ３段耐火ラテラル（上段）」のテキストを画面左上の区画表示部３１２に表示させている。
【０１４９】
この区画利用目的選択画面３２１において、第８の区画３１（Ｈ）の区画利用目的が１つ、例えば「書類の返却・収納のため」の区画利用目的選択ボタン表示部３０３（ｂ）が選択されて、区画利用目的選択完了ボタン表示部３０４が操作されると、制御部４１は、区画解錠本動作として、選択された複数の区画３１である第３の区画３１（Ｃ）及び第８の区画３１（Ｈ）を解錠状態する。それと共に、今回解錠状態となった複数の区画３１である第３の区画３１（Ｃ）及び第８の区画３１（Ｈ）の区画識別情報、これら区画３１を今回解錠した利用者の利用者氏名、これら区画３１を今回解錠した利用者の利用者識別番号、これら区画３１のそれぞれの今回の区画利用目的、これら区画３１の今回の区画解錠時間等を関連付けて一の解錠の区画履歴情報として記憶部７４に記憶する。即ち、表示操作部７１には、複数の区画３１の中から利用する区画３１が複数選択入力可能であり、選択された複数の区画３１のそれぞれに対する区画利用目的が入力される。
【０１５０】
この場合の一の解錠の区画履歴情報は、例えば、今回解錠状態となった区画３１の区画識別情報が「第３の区画」及び「第８の区画」であり、これらの区画３１を今回解錠した利用者の利用者氏名が「Ｗ氏」であり、これらの区画３１を今回解錠した利用者の利用者識別番号が「Ｌ１１１１」であり、「第３の区画」の今回の区画利用目的が「書類の取り出しのため」であり、「第８の区画」の今回の区画利用目的が「書類の返却・収納のため」であり、これらの区画３１の今回の区画解錠時間が「○○：○○」であることを含む。
【０１５１】
｛｛イ｝解錠対象区画選択動作で２人認証が必要な区画３１が選択された場合｝
｛３｝の解錠対象区画選択動作において、図２５に示すように、区画選択画面２８１にて、２人認証（ダブル認証）が必要な区画３１、例えば第６の区画３１（Ｆ）の区画選択ボタン表示部１６４（Ｆ）が選択された場合、制御部４１は、候補区画表示部１６３の区画選択ボタン表示部１６４（Ｆ）の色を選択前の緑色から灰色に変更すると共に、選択後表示部１６６（Ｆ）を選択区画表示部１６７内に表示させ、更に、画面左下に、個別解錠ボタン表示部１６８にかえて、「二人目受付」のテキストを含む２人目受付ボタン表示部２８２を表示させる。そして、この２人目受付ボタン表示部２８２が接触操作されると、制御部４１は、２人目認証動作を開始し、表示操作部７１に図２６に示すような２人目受付画面３２５を表示させる。２人目受付画面３２５は、案内表示部１０２、日時表示部１０３に加えて、「二人目受付」のテキストからなる題目表示部３２２を有している。
【０１５２】
｛５｝この状態で、カードリーダ７３がＩＤカードから利用者識別情報を読み取ると、制御部４１は、表示操作部７１に、図２７に示すような２人目暗証番号入力画面３３１を表示させる。２人目暗証番号入力画面３３１は、案内表示部１３２、回数表示部１３３、テンキーボタン表示部１３４及び入力ボタン表示部１３６に加えて、「二人目受付」のテキストからなる題目表示部３３２を有している。
【０１５３】
｛６｝この２人目暗証番号入力画面３３１において、テンキーボタン表示部１３４及び入力ボタン表示部１３６で暗証番号が入力されると、制御部４１は、読み取った利用者識別情報及び入力された暗証番号の組み合わせが、記憶部７４に記憶されている２人目認証が可能な利用者識別情報及び暗証番号の組み合わせ、即ち管理者の利用者識別情報及び暗証番号の組み合わせの中にあるか否かを判定する。
【０１５４】
読み取った利用者識別情報及び入力された暗証番号の組み合わせが、２人目認証が可能な利用者識別情報及び暗証番号の組み合わせの中にあれば、制御部４１は、読み取った利用者識別情報を承認して、２人目認証動作を終了して、｛４｝の区画利用目的選択動作を行う。
【０１５５】
区画利用目的選択動作では、まず、図２１に示すような区画利用目的選択画面３０１を表示操作部７１に表示させる。この区画利用目的選択画面３０１において、区画利用目的選択ボタン表示部３０３の１つ、例えば、「書類の取り出しのため」のテキストを含む区画利用目的選択ボタン表示部３０３（ａ）が選択操作され、区画利用目的選択完了ボタン表示部３０４が操作されると、制御部４１は、区画利用目的選択動作を終了し、解錠対象として選択された第６の区画３１（Ｆ）を解錠状態とする区画解錠本動作を行う。
【０１５６】
そして、この区画解錠本動作において、制御部４１は、今回解錠状態となった区画３１である第６の区画３１（Ｆ）の区画識別情報、この区画３１を今回解錠した利用者の利用者氏名、この区画３１を今回解錠した利用者の利用者識別番号、この区画３１の今回の解錠を許可した管理者の管理者氏名、この区画３１の今回の解錠を許可した管理者の管理者識別番号、この区画３１の今回の区画利用目的、この区画３１の今回の区画解錠時間等を関連付けて一の解錠の区画履歴情報として記憶部７４に記憶する。
【０１５７】
この一の解錠の区画履歴情報は、例えば、今回解錠状態となった区画３１の区画識別情報が「第６の区画」であり、この区画３１を今回解錠した利用者の利用者氏名が「Ｗ氏」であり、この区画３１を今回解錠した利用者の利用者識別番号が「Ｌ１１１１」であり、この区画３１の解錠を今回許可した管理者の管理者氏名が「Ｕ氏」であり、この区画３１の解錠を今回許可した管理者の管理者識別番号が「Ｌ２２２２」であり、この区画３１の今回の区画利用目的が「書類の取り出しのため」であり、この区画３１の今回の区画解錠時間が「○○：○○」であることを含む。
【０１５８】
なお、｛３｝の解錠対象区画選択動作において複数の区画３１を選択した際に、これらの区画３１の中にダブル認証が必要な区画３１を含む場合、｛５｝，｛６｝の後、｛４｝の区画利用目的選択動作において、上記した｛ア｝のように、これらの区画３１に対し共通の区画利用目的を選択入力させて、これらを含む一の解錠の区画履歴情報を記憶部７４に記憶するようにしても良い。或いは、｛ア｝の変形例のように、これら区画３１のそれぞれに個別に区画利用目的を選択入力させて、これらを含む一の解錠の区画履歴情報を記憶部７４に記憶するようにしても良い。
【０１５９】
＜閉時に自動施錠されない区画の解錠動作及び施錠動作＞
次に、閉時に自動施錠されない区画である第４，第５の区画３１（Ｄ），３１（Ｅ）の解錠動作及び施錠動作について説明する。
【０１６０】
｛鍵モードが有効の場合の鍵の貸し出し動作｝
｛１｝制御部４１は、待機状態にあるとき、鍵モードが有効な状態では図８に示すような第２の受付画面１４１を表示させている。この状態で、カードリーダ７３がＩＤカードから利用者識別情報を読み取ると、制御部４１は、表示操作部７１に、図７に示すような暗証番号入力画面１３１を表示させる。
【０１６１】
｛２｝この暗証番号入力画面１３１において、テンキーボタン表示部１３４及び入力ボタン表示部１３６で暗証番号が入力されると、制御部４１は、読み取った利用者識別情報及び入力された暗証番号の組み合わせの認証動作を行い、読み取った利用者識別情報及び入力された暗証番号の組み合わせが、記憶部７４に記憶されている鍵５１の取り出し操作及び返却操作が許可された利用者識別情報及び暗証番号の組み合わせの中にあれば、読み取った利用者識別情報を承認して、利用者が管理者である場合、図１０に示すような第１の区画選択画面１６１を表示操作部７１に表示させ、利用者が非管理者である場合、図１８に示すような第１の区画選択画面２６１を表示操作部７１に表示させる。
【０１６２】
｛３｝第１の区画選択画面１６１，２６１の何れにおいても、画面右上の「鍵」のテキストを含む鍵選択ボタン表示部１７１が、利用者の接触操作を検知すると、制御部４１は、解錠動作を開始して、図２８に示すような鍵収納区画選択画面３４１を表示操作部７１に表示させる。この鍵収納区画選択画面３４１には、左側の候補区画表示部１６３内に、鍵管理ユニット６１が内蔵された全ての区画３１のうち、動作初期においてカードリーダ７３がＩＤカードから読み取った利用者識別情報に対して上記した詳細設定動作の利用権限設定において利用可能と設定されている全ての区画３１、例えば第４の区画３１（Ｄ）及び第５の区画３１（Ｅ）の選択用の区画選択ボタン表示部１６４（Ｄ），１６４（Ｅ）を表示させる。
【０１６３】
｛４｝鍵収納区画選択画面３４１の左側の候補区画表示部１６３内から、区画選択ボタン表示部１６４の１つ、例えば「００４  鍵管理ユニット６１（１）」のテキストを含む第４の区画３１（Ｄ）選択用の区画選択ボタン表示部１６４（Ｄ）が利用者の接触操作を検知すると、制御部４１は、解錠対象鍵選択動作を開始し、接触操作を検知した区画選択ボタン表示部１６４（Ｄ）に対応する第４の区画３１（Ｄ）を解錠対象とし、図２８に示すように、第４の区画３１（Ｄ）を示す「００４  鍵管理ユニット６１（１）」のテキストからなる選択後表示部１６６（Ｄ）を右側の選択区画表示部１６７内に表示させて、第４の区画３１（Ｄ）選択用の区画選択ボタン表示部１６４（Ｄ）が選択されたことを示す。また、候補区画表示部１６３の区画選択ボタン表示部１６４のうちの区画選択ボタン表示部１６４（Ｄ）を、選択される前と選択された後とで色を変えて、区画選択ボタン表示部１６４（Ｄ）が選択されたことを示す。
【０１６４】
この状態で、鍵収納区画選択画面３４１の画面左下の「利用」のテキストを含む鍵利用ボタン表示部３４２が利用者の接触操作を検知すると、制御部４１は、選択された区画３１である第４の区画３１（Ｄ）内で、今回の鍵５１の貸し出し動作の開始時にＩＤカードから読み取って承認した利用者識別情報が利用可能な鍵５１を保持する鍵保持部６２を、鍵５１の取り出しが可能な解錠待ち状態にする。また、この利用者識別情報が利用可能な鍵５１を保持する鍵保持部６２のホルダボタン６４を点灯させる。
【０１６５】
｛５｝利用者は、選択した第４の区画３１（Ｄ）を開状態にして、点灯しているホルダボタン６４の中から、利用する鍵５１、例えば第１の鍵５１（ａ）を保持する第１の鍵保持部６２（ａ）のホルダボタン６４（ａ）を押す。すると、制御部４１は、解錠対象鍵選択動作を終了して、鍵利用目的選択動作を行う。
【０１６６】
｛６｝鍵利用目的選択動作では、まず、図２９に示すような鍵利用目的選択画面３５１を表示操作部７１に表示させる。この鍵利用目的選択画面３５１においては、「目的を選択してください」のテキストである案内表示部３５２と、上記した鍵利用目的設定変更動作で設定及び変更された鍵利用目的のテキストをそれぞれ含む、複数の鍵利用目的選択ボタン表示部３５３を並べて表示させる。この鍵利用目的選択画面３５１において、鍵利用目的選択ボタン表示部３５３の１つ、例えば、「硬貨処理機の鍵の取り出しのため」のテキストを含む鍵利用目的選択ボタン表示部３５３（ａ）が選択され、鍵利用目的選択画面３５１の画面左下の「選択」のテキストを含む鍵利用目的選択完了ボタン表示部３５４が利用者の接触操作を検知すると、制御部４１は、鍵利用目的選択動作を終了し、解錠対象として選択された第１の鍵保持部６２（ａ）を解錠状態とする鍵保持部解錠本動作を行う。
【０１６７】
この鍵保持部解錠本動作において、その後、解錠対象として選択された第１の鍵保持部６２（ａ）から第１の鍵５１（ａ）が取り出されたことを、第１の鍵保持部６２（ａ）の鍵検出部６３（ａ）が検出する。すると、制御部４１は、今回解錠状態となった鍵保持部６２から取り出された第１の鍵５１（ａ）である鍵５１の鍵識別情報、この鍵５１を今回取り出した利用者の利用者氏名、この鍵５１を今回取り出した利用者の利用者識別番号、この鍵５１の今回の鍵利用目的、この鍵５１の今回の取り出し時間等を関連付けて一の取り出しの鍵履歴情報として記憶部７４に記憶する。即ち、この一の取り出しの鍵履歴情報を記憶することによって、今回解錠状態となった鍵保持部６２から取り出された鍵５１の鍵識別情報、何れも今回の解錠に関連する、利用者氏名、利用者識別番号及び鍵取り出し時間を含む利用履歴と、鍵利用目的とを一元管理することができる。なお、利用者の氏名及び識別番号は、｛１｝，｛２｝でカードリーダ７３がＩＤカードから読み取って承認した利用者識別情報に含まれるものである。鍵モードが有効のため、制御部４１は、第４の区画３１（Ｄ）及び第５の区画３１（Ｅ）については、開状態とされた後、閉状態にされても、施錠せずに解錠状態を維持する。
【０１６８】
以上のようにして、重要物管理装置１１は、利用者に、利用する鍵５１を取り出させることになる。
【０１６９】
なお、｛４｝において、鍵収納区画選択画面３４１の画面左下の「利用」のテキストを含む鍵利用ボタン表示部３４２が利用者の接触操作を検知した場合に、制御部４１は、図２１に示すような区画利用目的選択画面３０１を表示操作部７１に表示させる区画利用目的選択動作を行って、区画利用目的を入力させるようにしても良い。この場合、区画利用目的選択動作後に、選択された区画３１内で、今回の鍵５１の貸し出し動作の開始時にＩＤカードから読み取って承認した利用者識別情報が利用可能な鍵５１を保持する鍵保持部６２を鍵の取り出しが可能な解錠待ち状態にする。
【０１７０】
また、この場合、｛５｝において、利用する鍵５１を保持する鍵保持部６２のホルダボタン６４が押された後に、図２９に示すような鍵利用目的選択画面３５１を表示操作部７１に表示させる鍵利用目的選択動作を行わずに、ホルダボタン６４が押された鍵保持部６２を解錠状態とする鍵保持部解錠本動作を行うようにしても良い。
【０１７１】
即ち、図２１に示すような区画利用目的選択画面３０１の表示を含む区画利用目的選択動作及び図２９に示すような鍵利用目的選択画面３５１の表示を含む鍵利用目的選択動作のうちの少なくとも一方において利用目的を入力させれば良い。
【０１７２】
｛鍵モードが有効の場合の鍵の返却受け付け動作｝
｛７｝利用者が、鍵５１の返却先の区画３１、例えば、第１の鍵５１（ａ）の返却先の第４の区画３１（Ｄ）を開状態にして、第１の鍵５１（ａ）の鍵ホルダ５３（ａ）を第４の区画３１（Ｄ）の第１の鍵保持部６２（ａ）に差し込む。第１の鍵保持部６２（ａ）の鍵検出部６３（ａ）は、第１の鍵５１（ａ）の鍵ホルダ５３（ａ）を検出した場合に限り、第１の鍵保持部６２（ａ）を施錠状態にする返却受け付け動作を行う。このようにして返却された鍵５１を鍵保持部６２に保持する。
【０１７３】
そして、この返却受け付け動作の際に、制御部４１は、今回施錠状態となった鍵保持部６２に返却された鍵５１の鍵識別情報、この鍵５１の今回の鍵返却時間等を関連付けて一の返却の鍵履歴情報として記憶部７４に記憶する。この一の返却の鍵履歴情報は、その直前に記憶された同じ鍵識別情報を含む一の取り出しの鍵履歴情報と関連付けられて記憶される。鍵モードが有効のため、制御部４１は、第４の区画３１（Ｄ）及び第５の区画３１（Ｅ）については、開状態とされた後、閉状態にされても、施錠せずに解錠状態を維持する。
【０１７４】
以上のようにして、重要物管理装置１１は、利用者によって返却された鍵５１を保管する状態になる。
【０１７５】
｛鍵モードが無効の場合の鍵の貸し出し動作｝
｛１｝制御部４１は、待機状態にあるとき、鍵モードが無効な状態では図５に示すような第１の受付画面１０１を表示させている。この状態で、カードリーダ７３がＩＤカードから利用者識別情報を読み取ると、制御部４１は、表示操作部７１に、図７に示すような暗証番号入力画面１３１を表示させる。
【０１７６】
｛２｝この暗証番号入力画面１３１において、テンキーボタン表示部１３４及び入力ボタン表示部１３６で暗証番号が入力されると、制御部４１は、読み取った利用者識別情報及び入力された暗証番号の組み合わせの認証動作を行い、読み取った利用者識別情報及び入力された暗証番号の組み合わせが、記憶部７４に記憶されている鍵の取り出し操作及び返却操作が許可された利用者識別情報及び暗証番号の組み合わせの中にあれば、読み取った利用者識別情報を承認して、利用者が管理者の場合、図１１に示すような第２の区画選択画面１８１を、利用者が非管理者の場合、図１９に示すような第２の区画選択画面２８１を、表示操作部７１に表示させる。
【０１７７】
｛３｝図１１，図１９に示すような第２の区画選択画面１８１，２８１を表示操作部７１に表示させた状態で、左側の候補区画表示部１６３内から、区画選択ボタン表示部１６４の１つ、例えば「００４  鍵管理ユニット６１（１）」のテキストを含む第４の区画３１（Ｄ）選択用の区画選択ボタン表示部１６４（Ｄ）が選択されると、制御部４１は、解錠対象区画選択動作を開始し、選択された区画選択ボタン表示部１６４（Ｄ）に対応する第４の区画３１（Ｄ）を解錠対象として、図３０，図３１に示すように、第４の区画３１（Ｄ）を示す、「００４  鍵管理ユニット６１（１）」のテキストからなる選択後表示部１６６（Ｄ）を右側の選択区画表示部１６７内に表示させて、第４の区画３１（Ｄ）用の区画選択ボタン表示部１６４（Ｄ）が選択されたことを示す。また、候補区画表示部１６３の区画選択ボタン表示部１６４のうちの区画選択ボタン表示部１６４（Ｄ）を、選択される前と選択された後とで色を変えて、区画選択ボタン表示部１６４（Ｄ）が選択されたことを示す。
【０１７８】
この状態で、第２の区画選択画面１８１，２８１の画面左下の「個別解錠」のテキストを含む個別解錠ボタン表示部１６８が接触操作されると、制御部４１は、解錠対象区画選択動作を終了して、区画利用目的選択動作を行う。
【０１７９】
｛４｝区画利用目的選択動作では、まず、図２１に示すような区画利用目的選択画面３０１を表示操作部７１に表示させる。この区画利用目的選択画面３０１において表示された区画利用目的選択ボタン表示部３０３の１つ、例えば、「鍵の取り出しのため」のテキストを含む区画利用目的選択ボタン表示部３０３（ｂ）が選択されて、区画利用目的選択画面の画面左下の「選択」のテキストを含む区画利用目的選択完了ボタン表示部３０４が利用者の接触操作を検知すると、制御部４１は、区画利用目的選択動作を終了し、解錠対象として選択された第４の区画３１（Ｄ）を、第４のロック機構３６（Ｄ）を駆動して解錠状態とする区画解錠本動作を行う。
【０１８０】
そして、この区画解錠本動作において、制御部４１は、今回解錠状態となった区画３１である第４の区画３１（Ｄ）の区画識別情報、この区画３１を今回解錠した利用者の利用者氏名、この区画３１を今回解錠した利用者の利用者識別番号、この区画３１の今回の区画利用目的、この区画３１の今回の区画解錠時間等を関連付けて一の解錠の区画履歴情報として記憶部７４に記憶する。即ち、この一の解錠の区画履歴情報を記憶することによって、利用履歴と区画利用目的とを一元管理することができる。なお、利用者の氏名及び識別番号は、｛１｝，｛２｝でカードリーダ７３がＩＤカードから読み取って承認した利用者識別情報に含まれるものである。
【０１８１】
この区画解錠本動作において、制御部４１は、更に、選択された区画３１である第４の区画３１（Ｄ）内で、今回の鍵５１の貸し出し動作の開始時にＩＤカードから読み取って承認した利用者識別情報が利用可能な鍵５１を保持する鍵保持部６２を鍵５１の取り出しが可能な解錠待ち状態にする。また、この利用者識別情報が利用可能な鍵５１を保持する鍵保持部６２のホルダボタン６４を点灯させる。
【０１８２】
｛５｝利用者は、選択した第４の区画３１（Ｄ）を開状態にして、点灯しているホルダボタン６４の中から、利用する鍵５１、例えば第１の鍵５１（ａ）を保持する第１の鍵保持部６２（ａ）のホルダボタン６４（ａ）を押す。すると、制御部４１は、解錠対象鍵選択動作を終了して、鍵利用目的選択動作を行う。
【０１８３】
｛６｝鍵利用目的選択動作では、まず、図２９に示すような鍵利用目的選択画面３５１を表示操作部７１に表示させる。この鍵利用目的選択画面３５１において、鍵利用目的選択ボタン表示部３５３の１つ、例えば、「硬貨処理機の鍵の取り出しのため」のテキストを含む鍵利用目的選択ボタン表示部３５３（ａ）が選択されて、鍵利用目的選択画面３５１の画面左下の「選択」のテキストを含む鍵利用目的選択完了ボタン表示部３５４が接触操作されると、制御部４１は、鍵利用目的選択動作を終了し、解錠対象として選択された第１の鍵保持部６２（ａ）を解錠状態とする鍵保持部解錠本動作を行う。
【０１８４】
この鍵保持部解錠本動作において、その後、制御部４１は、解錠状態となった第１の鍵保持部６２（ａ）から第１の鍵５１（ａ）が取り出されたことを鍵検出部６３（ａ）が検出する。すると、制御部４１は、この鍵保持部６２から取り出された鍵５１の鍵識別情報、この鍵５１を今回取り出した利用者の利用者氏名、この鍵５１を今回取り出した利用者の利用者識別番号、この鍵５１の今回の鍵利用目的、この鍵５１の今回の鍵取り出し時間等を関連付けて取り出し履歴情報として記憶部７４に記憶する。即ち、この取り出し履歴情報を記憶することによって、利用履歴と鍵利用目的とを一元管理することができる。このときも、利用者の氏名及び識別番号は、｛１｝，｛２｝でカードリーダ７３がＩＤカードから読み取って承認した利用者識別情報に含まれるものとなる。
【０１８５】
その後、第４の区画３１（Ｄ）が閉状態になったことを第４の開閉検知センサ３５（Ｄ）が検知すると、鍵モードが無効なため、制御部４１は、第４のロック機構３６（Ｄ）を駆動して第４の区画３１（Ｄ）を施錠状態にする施錠動作を行う。
【０１８６】
そして、制御部４１は、この施錠動作として、今回施錠状態となった区画３１の区画識別情報、この区画３１を今回の施錠直前に解錠した利用者の利用者氏名、この区画３１を今回の施錠直前に解錠した利用者の利用者識別番号、この区画３１の今回の区画施錠時間等を関連付けて一の施錠の区画履歴情報として記憶部７４に記憶する。この一の施錠の区画履歴情報は、その直前に記憶された同じ区画識別情報を含む一の解錠の区画履歴情報と関連付けられて記憶される。このときも、利用者の氏名及び識別番号は、｛１｝，｛２｝でカードリーダ７３がＩＤカードから読み取って承認した利用者識別情報に含まれるものとなる。
【０１８７】
以上のようにして、重要物管理装置１１は、利用者に、利用する鍵５１を取り出させることになる。
【０１８８】
なお、｛３｝において、第２の区画選択画面１８１，２８１の画面左下の「個別解錠」のテキストを含む個別解錠ボタン表示部１６８が接触操作されて、解錠対象区画選択動作を終了した後に、区画利用目的選択動作を行わずに、解錠対象として選択された区画３１を解錠状態とする区画解錠本動作を行うようにしても良い。
【０１８９】
また、｛５｝において、利用する鍵５１を保持する鍵保持部６２のホルダボタン６４を押して解錠対象鍵選択動作を終了した後、図２９に示すような鍵利用目的選択画面３５１を表示操作部７１に表示させる鍵利用目的選択動作を行わずに、ホルダボタン６４が押された鍵保持部６２を解錠状態とする鍵保持部解錠本動作を行うようにしても良い。
【０１９０】
即ち、図２１に示すような区画利用目的選択画面３０１の表示を含む区画利用目的選択動作及び図２９に示すような鍵利用目的選択画面３５１の表示を含む鍵利用目的選択動作のうちの少なくとも一方において利用目的を入力させれば良い。
【０１９１】
｛鍵モードが無効の場合の鍵の返却受け付け動作｝
鍵モードが無効の場合の鍵５１の貸し出し動作と同様の、｛１｝，｛２｝の認証動作と、｛３｝の解錠対象区画選択動作と、｛４｝の区画利用目的選択動作及び区画解錠本動作とを行う。但し、｛４｝の区画利用目的選択動作においては、例えば、区画利用目的選択画面３０１で、「鍵の返却のため」のテキストを含む区画利用目的選択ボタン表示部３０３（ｃ）が選択されて、「選択」のテキストを含む区画利用目的選択完了ボタン表示部３０４が接触操作される。
【０１９２】
｛５｝利用者は、区画解錠本動作によって解錠状態になった鍵５１の返却先の区画３１、例えば、第１の鍵５１（ａ）の返却先である第４の区画３１（Ｄ）を開状態にして、第１の鍵５１（ａ）の鍵ホルダ５３（ａ）を第４の区画３１（Ｄ）の第１の鍵保持部６２（ａ）に差し込む。第１の鍵保持部６２（ａ）の鍵検出部６３（ａ）は、第１の鍵５１（ａ）の鍵ホルダ５３（ａ）を検出した場合に限り、第１の鍵保持部６２（ａ）を施錠状態にする。このようにして返却された鍵５１（ａ）を鍵保持部６２（ａ）に保持する。
【０１９３】
そして、この際に、制御部４１は、今回施錠状態となった鍵保持部６２に返却された鍵５１の鍵識別情報、この鍵５１を今回返却した利用者の利用者氏名、この鍵５１を今回返却した利用者の利用者識別番号、この鍵５１の今回の鍵返却時間等を関連づけて記憶部７４に履歴情報として記憶する。このときも、利用者の氏名及び識別番号は、｛１｝，｛２｝でカードリーダ７３がＩＤカードから読み取って承認した利用者識別情報に含まれるものとなる。
【０１９４】
その後、第４の区画３１（Ｄ）が閉状態になったことを第４の開閉検知センサ３５（Ｄ）が検知すると、制御部４１は、第４のロック機構３６（Ｄ）を駆動して第４の区画３１（Ｄ）を施錠状態にする。それと共に、今回施錠状態となった区画３１の区画識別情報、この区画３１を今回施錠直前に解錠した利用者の利用者氏名、この区画３１を今回施錠直前に解錠した利用者の利用者識別番号、この区画３１の今回の区画施錠時間等を関連付けて一の施錠の区画履歴情報として記憶部７４に記憶する。この一の施錠の区画履歴情報は、その直前に記憶された同じ区画識別情報を含む一の解錠の区画履歴情報と関連付けられて記憶される。このときも、利用者の氏名及び識別番号は、｛１｝，｛２｝でカードリーダ７３がＩＤカードから読み取って承認した利用者識別情報に含まれるものとなる。
【０１９５】
以上のようにして、重要物管理装置１１は、利用者によって返却された鍵５１を保管する状態になる。
【０１９６】
以上に述べた第１実施形態は、被保管物の保管を行う施錠可能な複数の区画３１を有しており、区画３１を解錠する際に、表示操作部７１に区画利用目的が入力され、入力された区画利用目的を、解錠する区画３１の区画識別情報を含む利用履歴と関連付けて履歴情報として記憶部７４に記憶する。即ち、利用する区画３１が選択されてから区画利用目的が入力される。また、表示操作部７１には、鍵管理ユニット６１を一体に有する第４の区画３１（Ｄ）及び第５の区画３１（Ｅ）が解錠されるとき及び鍵管理ユニット６１から鍵５１が取り出されるときの少なくとも何れか一方において利用目的が入力される。また、鍵５１毎に、利用目的を入力するか否かを設定可能であり、区画３１毎に、利用目的を入力するか否かを設定可能である。
【０１９７】
以上の第１実施形態によれば、区画３１を解錠する際に、表示操作部７１に区画利用目的が入力されるため、区画利用目的をノート等の紙に手書きで記載したり、管理用の別のＰＣに手入力したりする場合と比べて、入力が容易となる。従って、区画３１を解錠して被保管物を取り出す際の手間を減らすことが可能となる。
【０１９８】
また、表示操作部７１に、複数の区画３１の中から利用する区画３１が選択入力されると、表示操作部７１には、選択された区画３１に対する区画利用目的が入力されるため、区画３１を選択し解錠して被保管物を取り出す際の手間を減らすことが可能となる。
【０１９９】
また、表示操作部７１に、複数の区画３１の中から利用する区画３１が複数選択入力されると、表示操作部７１には、選択された複数の区画３１に対する共通の区画利用目的が入力されるため、複数の区画３１を選択し解錠して被保管物を取り出す際の手間を減らすことが可能となる。
【０２００】
また、表示操作部７１に、複数の区画３１の中から利用する区画３１が複数選択入力されると、表示操作部７１には、選択された複数の区画３１のそれぞれに対する区画利用目的が入力されるため、複数の区画３１を選択し解錠して被保管物を取り出す際の手間を減らすことが可能となる。
【０２０１】
また、被保管物としての鍵５１を保管する鍵管理ユニット６１（Ｄ）を一体に有する区画２１（Ｄ）及び鍵管理ユニット６１（Ｅ）を一体に有する区画２１（Ｅ）を備えるため、鍵５１を取り出す際に表示操作部７１に利用目的が入力されることになり、鍵５１を取り出す際の手間を減らすことが可能となる。また、鍵管理ユニット６１（Ｄ），６１（Ｅ）が持ち運び不可となり、より厳密な鍵５１の管理を行うことができる。
【０２０２】
また、表示操作部７１は、鍵管理ユニット６１を一体に有する区画３１が解錠されるとき及び鍵管理ユニット６１から鍵５１が取り出されるときの少なくとも何れか一方において利用目的が入力されるため、鍵管理ユニット６１を一体に有する区画３１を解錠するとき及び鍵管理ユニット６１から鍵５１を取り出すときの少なくとも何れか一方において、鍵５１を取り出す際の手間を減らすことが可能となる。
【０２０３】
また、鍵５１毎に、鍵利用目的を入力するか否かを設定可能であるため、鍵利用目的を入力する必要がない鍵５１に対して鍵利用目的の入力を省くことができ、鍵５１を取り出す際の手間を減らすことが可能となる。
【０２０４】
また、区画３１毎に、区画利用目的を入力するか否かを設定可能であるため、区画利用目的を入力する必要がない区画３１に対して区画利用目的の入力を省くことができ、被保管物を取り出す際の手間を減らすことが可能となる。
【０２０５】
また、区画３１毎に、閉状態となった際に自動的に施錠されるのか施錠されずに解錠状態が維持されるのかを設定可能であるため、被保管物を返却する際の手間を減らすことが可能となる。
【０２０６】
以上の第１実施形態を以下の変形例１−１，変形例１−２のように変更することができる。
【０２０７】
｛変形例１−１｝
区画利用目的選択画面３０１の表示を含む区画利用目的選択動作において区画利用目的を１つ選択させることに限定されるものではなく、複数選択させるようにしても良い。
｛変形例１−２｝
鍵利用目的選択画面３５１の表示を含む鍵利用目的選択動作において鍵利用目的を１つ選択させることに限定されるものではなく、複数選択させるようにしても良い。
【０２０８】
｛変形例３｝
認証動作においてカードリーダ７３に利用者識別情報を読み取らせるＩＤカードは、ＩＣチップに利用者識別情報を記憶するＩＣカードに限定されるものではなく、磁気ストライプに利用者識別情報を記憶する磁気カードであっても良い。更に、利用者の本人確認（個人認証）を行うことができるものであれば良く、カードに代えて又は加えて、指紋、虹彩、静脈等の生体認証を行うようにしても良い。
【０２０９】
｛変形例４｝
候補区画表示部１６３内に、利用者識別情報に対して利用可能と設定されている全ての区画３１の選択用の区画選択ボタン表示部１６４を表示し、利用可能と設定されていない区画３１の選択用の区画選択ボタン表示部１６４を非表示とすることに限定されるものではなく、重要物管理装置１１の全ての区画３１の選択用の区画選択ボタン表示部１６４を表示するようにしても良い。更に、この際、利用可能と設定されている全ての区画３１の選択用の区画選択ボタン表示部１６４を青色に表示し、利用可能と設定されていない区画３１の選択用の区画選択ボタン表示部１６４を灰色に表示する等、色分けして区別可能に表示するようにしても良い。
【符号の説明】
【０２１０】
１１…重要物管理装置、３１…区画、５１…鍵、６１…鍵管理ユニット、７１…表示操作部（入力手段，選択手段，表示手段）。
【図１】
2020090889.tif 000003
【図２】
2020090889.tif 000004
【図３】
2020090889.tif 000005
【図４】
2020090889.tif 000006
【図５】
2020090889.tif 000007
【図６】
2020090889.tif 000008
【図７】
2020090889.tif 000009
【図８】
2020090889.tif 000010
【図９】
2020090889.tif 000011
【図１０】
2020090889.tif 000012
【図１１】
2020090889.tif 000013
【図１２】
2020090889.tif 000014
【図１３】
2020090889.tif 000015
【図１４】
2020090889.tif 000016
【図１５】
2020090889.tif 000017
【図１６】
2020090889.tif 000018
【図１７】
2020090889.tif 000019
【図１８】
2020090889.tif 000020
【図１９】
2020090889.tif 000021
【図２０】
2020090889.tif 000022
【図２１】
2020090889.tif 000023
【図２２】
2020090889.tif 000024
【図２３】
2020090889.tif 000025
【図２４】
2020090889.tif 000026
【図２５】
2020090889.tif 000027
【図２６】
2020090889.tif 000028
【図２７】
2020090889.tif 000029
【図２８】
2020090889.tif 000030
【図２９】
2020090889.tif 000031
【図３０】
2020090889.tif 000032
【図３１】
2020090889.tif 000033